【手続補正書】
【提出日】平成25年11月4日(2013.11.4)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）コンピューター、人工知能、等による自動論理構築のアルゴリズム。
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the SeaEmpire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【図２７】図２７は、吉野カズトラ宇宙世界皇帝の（ネオ・）エコロジー・システム（太陽光熱電発電システム）のイメージ概念図である。パラボラミラーや、ミラーや、レンズ、等で、光（熱）（太陽光（熱））を集める。ヒカリ（光、熱、等）吸収物質によって、高温となる部分と、水（海水、等）によって、低温になる部分の間に、ｐ型半導体と、ｎ型半導体を、（其々、組にして、単数／複数）入れて、熱電発電をする。（ゼーベック効果などを利用しても良い。）オプションとして、温まった、海水を、飲料水と、塩にしても良い。発電された電気を用いて、１．水を水素と酸素に電気分解する。２．バッテリーに充電する。３．電気を直接利用する、４．等をして、水素と酸素を用いて、燃焼で、エネルギーを得たり、燃料電池などで電気を得たり、バッテリーから電気を得たりする。
【図２８】図２８は、吉野カズトラ宇宙世界皇帝の（ネオ・）エコロジー・システムのイメージ概念図である。
【図２９】図２９は、吉野カズトラ宇宙世界皇帝の（ネオ・）エコロジー・システムのイメージ概念図である。
【図３０】図３０は、吉野カズトラ宇宙世界皇帝の（ネオ・）エコロジー・システムのイメージ概念図である。
【図３１】図３１は、吉野カズトラ宇宙世界皇帝のエコジー・システムのイメージ概念図である。エコロジーシステム（エネルギー循環システム（熱循環器）、飲料水・浄水システム、塩製造機、等）である。
【図３２】図３２は、吉野カズトラ宇宙世界皇帝のエコロジー・システムのイメージ概念図である。水素と酸素から水を作る。水素や酸素を燃料とする宇宙ロケットなどでの宇宙旅行に用いれる。
【図３３】図３３は、吉野カズトラ宇宙世界皇帝のエコロジー・システム（太陽光エネルギー（清涼飲料水製造）システム）のイメージ概念図である。吉野カズトラ宇宙世界皇帝は、吉野カズトラ宇宙世界皇帝の父親の吉野信法王と、オレンジのような柑橘類のような果物(フルーツ)などと吉野の綺麗な電子水(水道水/地下水に浄水槽に電圧を掛けて綺麗な水にする)で、オレンジ水を作り、ペットボトルに入れて、太陽光（熱）エネルギー（／発電）、風力発電、地熱エネルギー（／発電）、熱エネルギー（／発電）、電気炉(吉野エミリー女王の電子レンジ)で、加熱、加圧して、より安全な水にして、製品化して、水商売をしていた。吉野カズトラ宇宙世界皇帝は、吉野カズトラ宇宙世界皇帝の義理の父親であるデイビッドヒッチンズ(水質調査の専門家プロフェッショナル)と、水質調査を行い、食品衛生法の清涼飲料水の基準に合格したのが、成功の秘訣となった。・・・。 吉野カズトラ宇宙世界皇帝は、吉野友子女王と、太陽光煮沸法によるオレンジティー(オレンジ茶)のようなハーブティーを作っていた。これにより、より効率的に果物のエキスを抽出することが出来て、ビタミン剤を飲むよりも体に良い効果になり、若さと健康を、維持することが、比較的に、可能になったのである。・・・。 吉野カズトラ宇宙世界皇帝と吉野友子女王は、ハーブティー(オレンジティー、レモンティー、等)等を、基本に、入間茶業協会を作り、日本の埼玉県入間市を世界の中心にして(日華思想)、入間ティーパーティーを作り、世界中に、お茶を販売して利益にした。吉野カズトラ宇宙世界皇帝は、吉野カズトラ宇宙世界皇帝のお茶(ハーブティー、オレンジティー、レモンティー、等)と、吉野友子女王のどら焼き等を共に、太陽光風力発電帆船(母船)によって運搬、販売したので、大航海時代になり、吉野カズトラ宇宙世界皇帝は、エコロジーシステム(太陽光システム、等)で、世界中で有名になった。
【図３４】図３４は、吉野カズトラ宇宙世界皇帝のエコロジー・システム（太陽光エネルギー（清涼飲料水製造・水商売）ネットワーク・システム）のビジネスモデルのイメージ概念図である。
【図３５】図３５は、吉野カズトラ宇宙世界皇帝のエコロジー・システム（太陽光エネルギー（清涼飲料水製造・水商売）ネットワーク・システム）のビジネスモデル（目的・タイミング・時系列・組織図）のイメージ概念図である。
【図３６】図３６は、吉野カズトラ宇宙世界皇帝のエコロジー・システム（太陽光エネルギー（清涼飲料水製造・水商売・医療品・日常品）ネットワーク・システム）のビジネス商品（花粉対策用プラグ：商品名『花粉（ダスト）ブロック』）のイメージ概念図である。素材（フィルター、紙、ティッシュ、光触媒ファイバー、光触媒表面塗料、熱触媒、スポンジ、保水材、吸水材、等）によって、（そのままか、消毒水、アルコール水、（生理）食塩水、等をしみこませて）、花粉やダストをブロックして、鼻水を保水や吸水するが、空気を通すので、鼻で呼吸が、出来るのを特徴とした、花粉（ダスト）対策用プラグ。
【図３７】図３７は、吉野カズトラ宇宙世界皇帝のエコロジー・システム（脳工学）のビジネスモデルのイメージ概念図である。 Yoshino UniverseKazutora Yoshino Universe EmpireDNA Design for Neural NetworkLovely, 遺伝的な神経ネットワークの脳工学について、吉野の第一の仮説について、『（本能等の）神経ネットワーク（神経結合定数ネットワーク）は、複合的なシステムで、幾つもが互いに助け合える神経・自己複合グループバックアップ（ネットワーク）システム（Neural Self Multiple Group Back Up Network System: ニューラルセルフマルチグループバックアップネットワークシステム）である。』 この仮説を基本として、遺伝的な神経ネットワークのデザインが可能である。例えば、トカゲの遺伝子に、鳥の羽根の遺伝子を組み込み、トカゲに羽を付けて、竜を作る際、鳥の本能や、人間の本能・知能を、竜に埋め込むのに、鳥の本能遺伝子や、人間の本能遺伝子や学習遺伝子を組み込むことが可能である。その際、真剣細胞が、発生（発育）の時に、幾つもの適宜な神経グループが、神経ネットワークとその結合定数を確保・獲得するように遺伝子群（ジェネティックグループ）を選択して、組み込むようにする（設計する）。これらのトカゲや鳥や人間の遺伝子群が、適宜に組み合わさり、生命活動をするために、適宜に機能するように、設計する。また、直接、飛ぶときのメカニカル・ダイナミクスを脳に書き込めるように、遺伝子群を設計しても良い。同様に、羽の付いた人間の設計も、可能である（Design Child：デザインチャイルド、Design Human:デザインヒューマン）。同様に、アレルギー抗力（効力）を持つ、遺伝子（群）を組み込むのも可能である。
【図３８】図３８は、吉野カズトラ宇宙世界皇帝の（ネオ・）エコロジー・システムのイメージ概念図である。吉野カズトラ宇宙世界皇帝の（ネオ・）エコロジー・システムのミドリムシ・植物性微生物（プランクトン）（葉緑体、葉緑素を保有する微生物）の大量生産の方法。微生物を、藻などから抽出する。藻に付着した微生物を、藻を細分化して、容器に入った綺麗な水に入れる。一部（プレート）だけに光（太陽光（日光）、電球、蛍光灯、LEDランプ、等）を当てて、ミドリムシをプレートに集めて、プレートに付着した、ミドリムシを、細分化する。これを何度か繰り返すことによって、ミドリムシの純度を向上させる。（ミドリムシを他の微生物から分離して、ミドリムシだけにする。）純度の高いミドリムシを、適宜な量の酸素や二酸化炭素を注入された綺麗な水で、（温度調整などもしながら）大量に培養して、光（太陽光（日光）、電球、蛍光灯、LEDランプ、等）の当たるローラーに付着させて、ローラーを回転して、スクーパーで、回収する。モーター、酸素、二酸化炭素、温度、等を、自動制御などで管理する。 Yoshino UniverseKazutora Yoshino Universe EmpireKazutora Yoshino Emperor's Microorganism Mass Production MethodLovely,
【図３９】図３９は、吉野カズトラ宇宙世界皇帝のエコロジー・システム・アプリケーション（３Dペン、３Dディスプレイ、３Dオペレーティングシステム、エネルギー・システム、USES、若返り研究開発）とビジネス・モデルのイメージ概念図である。 Type I： Gold BallType II： Cube （単数／複数の）ビデオカメラから入力されたビデオ情報（３Dペンの静止画／動作情報）から、プログラム（ソフトウェア）を用いて、２D／３D位置（and/or ２D／３D方向）等を、獲得する方法。 複数のビデオカメラの際は、コンピューターのPCIスロット／USBなどのインターフェースに、ラッチ回路（８２５５等）を付けて、リレー回路（リレー／TTL回路／オプティカル・トランジスター・スイッチング・サーケット、等）を動作して、（ビデオなどの）入力情報をローテーションを組んで（２つなら左右交互に）入力する。タイミングは、トリガリング・システム（８２５５等）等によって合わせる。 VC（Video Capture/Video Converter) VC(Value Chain)を作る。VC(VentureCapital)を用いることも可能であろう。 ３Dペンの製造販売の収益から、３Dオペレーティングシステム、エネルギーシステム、ロケット（人工衛星）、USES(Universal Solar Energy System)、ロボット、若返りの研究開発などを行うことが可能なビジネスモデルである。 YoshinoUniverseKazutora Yoshino Universe EmpireKazutoraYoshino Emperor's One Pattern Strategy (Hit Product Strategy) KazutoraYoshino Emperor's (3D) VC StrategyLovely,
【図４０】図４０は、吉野カズトラ宇宙世界皇帝の（ネオ・）エコロジー・システムのイメージ概念図である。葡萄、豆の木、桃の木、柿木、梅の木、など、比較的あまり手のかからない植物農園を作り、その下に、（冬など前記植物の葉がないためにある通過）日射量を利用して、近代化ビニールハウスを作る。 近代化ビニールハウスでは、グルタミン酸の豊富なうまみ味のある植物（大豆、等）（／動物）や、グルコースの豊富な甘味のある植物（砂糖キビ、等）（／動物）や、ビタミンの豊富な甘みのある植物（オレンジ、等）（／動物）を育てる。 近代化ビニールハウス内部では、第一のレイヤー（フルーツ：苺、横に成長する植物、等）に、耕作部と透明部を作り、透明部を通して、日射量が第二のレイヤーに届くようにする。ここで、例えば、耕作部と透明部の比率が、１：１なら、通過日射量は、１／２である。第二のレイヤーには、例えば、三つぐらいの棚があり、（風力発電などで電力を用いた）モーター（＋ギヤ）などによって、回転（ローテーション）する。通過日射量が、１／２なので、其々の棚が、１／３の通過日射量を受けると、１／６の日射量になる。１／６の日射量で育つ植物（野菜：大豆、ブロッコリー、ミニ・砂糖キビ、もやし、等）を植えて育てる。必要なら、LEDライトによる照明で、植物に光を当てる（照射する）。コンピューターによる日射量の計算、必要ならLEDライトの照射時間の計算などをして、適宜な日射量の光を植物に当てる（照射する）。種や苗を植えて、（光や（スプリンクラー等で）水や栄養分を与え）育てて、収穫するのを、GPSを持ってたり、画像認識を行える人工知能を持つロボットを用いて、行っても良い。人工知能ロボット農業（無人農家計画）によって、近代化ビニールハウス農法等が、可能になり、一年中、耕作・農作が可能になり、最高効率、最適方法、自動化、完全自動化、等を得ることが、可能になる。
【図４１】図４１は、吉野カズトラ宇宙世界皇帝の（ネオ・）エコロジー・システムのイメージ概念図である。
【図４２】図４２は、吉野カズトラ宇宙世界皇帝の（ネオ・）エコロジー・システムのイメージ概念図である。（オプション：ミドリムシ＋）抹茶のビジネス
【図４３】図４３は、吉野カズトラ宇宙世界皇帝の（ネオ・）エコロジー・システムのイメージ概念図である。（オプション：ミドリムシ＋）昆布茶のビジネスYoshino Universe Kazutora Yoshino Universe Empire Kazutora Yoshino Emperor's Japanese Food(Science) Lovely, 自衛軍（自衛隊）に、訓練・軍事演習など、ヘリコプター、オスプレイ、ジェット機などを用いるときに、食糧（米、昆布茶、味噌（汁）、うまみ食材、甘味食材、砂糖、等）を運ばせることによって、防衛費と物流費の合理化（費用の削減）と、人々の（人体の）健康の加速を行う方法。
【図４４】図４４は、吉野カズトラ宇宙世界皇帝のエコロジー・システム・アプリケーション（３Dペン、３Dディスプレイ、３Dオペレーティングシステム、エネルギー・システム、USES、若返り研究開発）とビジネス・モデルのイメージ概念図である。 Type Zero： Just Software ２Dに、マウスやキーボードやジョイスティックなどで描いた絵を、３Dにして、線を変形したり、結合（コンバイン）したり、離したり（セパレート）することが、可能な３D構築用（プログラム）ソフトウェア。 インターポーレーション技術を用いたりや、マウスやキーボードやジョイスティックで、オブジェクトの位置や方向や、変形の位置や方向をコントロールすることも可能である。 又、マウスやキーボードやジョイスティックによって、３Dの絵を描くことは、可能ではある。３Dコンピューター・ゲームをしたりする際、どれが、本能的に、使いやすいかというのが、この技術の基本にある。
【図４５】図４５は、吉野カズトラ宇宙世界皇帝の（ネオ・）エコロジー・システムのイメージ概念図である。吉野カズトラ宇宙世界皇帝のおやつ（（抹茶）（昆布）（ユーグレナ）（バナナ）（ポテト）（コーン）（砂糖）（ミルク）アイスクリーム）。適宜な組み合わせで、混ぜる。コーンフレークのミルクにしても良い。 オプションとして、ミドリムシ（ユーグレナ）の食材（ビタミン剤）としての利用（アプリケーション）。 昆布：グルタミン酸バナナ、ポテト、コーン：でんぷん＋糖ミルク：カルシウム、タンパク質、等 成分例（抹茶）（昆布）（ユーグレナ）（バナナ）（ポテト）（コーン）（砂糖）（ミルク）アイスクリーム２０％    ５％      ５％            １０％        １０％    １０％    １０％    ３０％
【図４６】図４６は、吉野カズトラ宇宙世界皇帝の（ネオ・）エコロジー・システムのイメージ概念図である。ヒーター（熱源）を置いたときの熱伝導（熱伝導分散率）を示している。水蒸気があるとき、より効率良く、熱が拡散される。温室（小屋）や、炉（火力発電の炉）の作り方の図。
【図４７】図４７は、吉野カズトラ宇宙世界皇帝の（ネオ・）エコロジー・システム（火力発電所）のイメージ概念図である。 火力発電所と、（植物園）光合成工場を、融合した本発明のシステムの図である。本発明のシステムによって、１００％の熱効率、１００％の水回収率、１００％の塩回収率、１００％の二酸化炭素回収率を得るのを目指すことができる。 石油／灯油／ガスなどを、空気（酸素）と燃やして、火（熱源）を作り、ポンプでくみ上げた海水を（オプションとしてノズルなどを用いてスプレーして水滴にして）熱して、塩を作り、水蒸気でタービンを回して、発電機で発電する。水蒸気が冷えたら液体の水（飲料水）として回収して、水タンクに貯める。石油／灯油／ガスなどを、酸素と燃やした時に出た二酸化炭素を、水タンクなどで、回収して、炭酸飲料水を作るとか、海草の発育用の水を作るとか、ミドリムシの育成の水を作るとか、植物の水栽培用の水を作るなどする。余った二酸化炭素は、光（太陽光、日光、LED光、等）によって、光合成工場の植物園（畑：菜の花畑、等、や、水田、等、や、植物の水栽培工場）で、光合成によって、回収する。太陽光電池やバッテリーによって、昼間のエネルギーを貯蓄して、LED光で栽培することによって、日光が強くない日や、夜間でも植物栽培が可能になるので、栽培効率が良く、安定した植物などの成長が見込める。
【図４８】図４８は、吉野カズトラ宇宙世界皇帝の（ネオ・）エコロジー・システム（ダイアモンド・リアクター）のイメージ概念図である。 ダイアモンド・リアクターは、レーザービーム（レーザー＋レンズ）、水素と酸素の燃焼（／燃料電池）等を用いて、海水を、水素、酸素、水蒸気に、熱分解する。水蒸気でタービンを回転して、発電機で、発電する。水蒸気を飲料水にして、水素と酸素を回収して、水素と酸素から、燃料電池で、電気を得たて、レーザーを運転したり、水素と酸素を燃焼させて、海水を温めたりする。太陽光を、パラボラミラー（凹面鏡等）で、集光して、太陽光発電による、電力の供給をするのが、最善の形態である。集光した太陽光をレーザーの（起動／運転）ポンピング光（ポンピング・ライト）（（起動／運転）エネルギー）にしたり、直接リアクター（炉）に当てても良い。水素と酸素と水を、基本物質（基本エレメント）とするため、二酸化炭素が発生しない地球に優しいクリーン（綺麗）な水素社会を目指す、（ネオ・）（エネルギー）エコロジー・システムである。
【図４９】図４９は、吉野カズトラ宇宙世界皇帝の（ネオ・）エコロジー・システム（マグライト型発電方法（水蒸気の準備）（アヒル型発電機）と火力発電所、ダイアモンド・リアクター）のイメージ概念図である。 温度差を用いて、水蒸気の準備をする。蒸気熱と風力（風量）によって、霧（ミスト）状の水滴を気化（乾燥）させる。例えば、１８℃の水（１リットル／秒）を、２８℃の空気（２２２立方メートル／秒：風速２２メートル／秒に、半径３．３メートルのプロペラ）で、気化させる。 空気を風力発電機（プロペラ）で取り込み、ヒートポンプのように（コンプレッサーにかけて）コンプレスして、空気を圧縮して高温にする。この際、（炉などから出た）二酸化炭素を、混ぜても良い。海水を塩と水蒸気に分けて、水蒸気に圧力をかけて高温にしたり、水蒸気をヒーターで熱して高温にして、タービンを回転して、発電する。
【図５０】図５０は、吉野カズトラ宇宙世界皇帝の（ネオ・）エコロジー・システム（マグライト型発電システム（水蒸気の準備）（アヒル型発電機）と火力発電所、ダイアモンド・リアクターとカズトラ丸・人工知能船）のイメージ概念図である。 Yoshino UniverseKazutora Yoshino Universe EmpireKazutora Yoshino Emperor's Solar Wind Energy Generator ShipLovely, （ネオ・）エコロジー・システム（マグライト型発電システム（水蒸気の準備）（アヒル型発電機）と火力発電所、ダイアモンド・リアクター）などの発電システム（＋飲料水（炭酸水）・塩の製造工場）を、船に組み込んで、人工知能などで、自動で、日光や風邪を測量して、最適な場所を見つけて移動して、発電しながら、飲料水や塩を製造して、目的地に、自動航行する。複数の船で、ネットワークを組んで、最適な場所やルート（航路）を見つけるのが最適である。
【図５１】図５１は、エコロジー・エネルギー・システム(エア・ジェット型飲料水・塩精製システム（船）シップ)のイメージ概念図である。  吉野カズトラ宇宙世界皇帝の発電所（＋飲料水・塩精製（所））は、プロペラ（＋モーター／ジェットエンジンで、空気を取り入れて、ヒーターで、ジェットタオル熱風（オプション：熱風）を作り、（インクジェット等の）ノズルで霧化（ミスト化）された海水を、乾燥させて塩を作って（スクーパーで）回収して、オプションとして気体の水（蒸気、スチーム）を、飲料水にして回収する飲料水・塩精製システムである。太陽電池などからのエネルギーや電気を、（バッテリーなどに貯めるか直接）、電気ヒーターを熱するのに用いても良い。ヒーターは、ガスによる加熱式でも良い。
【図５２】図５２は、吉野カズトラ宇宙世界皇帝のエコロジー・システム・アプリケーションのコントロールシステム（３DOS）のイメージ概念図である。２D／３Dディスプレイなどを用いて、２D／３Dコントローラーを用いて、オペれーとすることが可能である。 Yoshino UniverseKazutora Yoshino Universe EmpireKazutora Yoshino Emperor's 3D OperatingSystemLovely,
【図５３】図５３は、吉野カズトラ宇宙世界皇帝のエコロジー・システム・アプリケーションのコントロールシステム（３DOS）のイメージ概念図である。２D／３Dディスプレイなどを用いて、２D／３Dコントローラーを用いて、オペれーとすることが可能である。 基本OSに、（２D／）３Dユーザー・インターフェイス（＋ユーザー・コミュニケーション）を（イミュレーターのように）付加する。 ３Dペン、キーボード、ハンドシグナル、声（音声指令）などによる入力で、ユーザーがコンピューターによって何をしたいのかを、コンピューターに指示する（示す）。ユーザーの入力によって、若しくは、自動的（自主的）に、コンピューターが、（ユーザーやコンピューターのために）何をしたら良いのか推測して検索して結果を示す。結果については、ユーザー要求の可能性が高い順で可能なオペレーションの選択リストを示すのをディフォールトにしておくのが基本的には良い。ユーザー、若しくは、コンピューターが、選択した（選んだ）最善の（最適な、適宜な）オペレーションを実行するのを基本とする。
【図５４】図５４は、吉野カズトラ宇宙世界皇帝の（ネオ・）エコロジー・システム（・アプリケーション）のイメージ概念図である。 Yoshino UniverseKazutora Yoshino Universe EmpireKazutora Yoshino Emperor's Plant Making (Modern Mass Production)Lovely, 吉野カズトラ宇宙世界皇帝のクローン生産（米作り、等）。 （iPS細胞、幹細胞の分化、分化された細胞のクローン化、等によって）、雄蕊（花粉）や精子、雌蕊（雌蕊細胞）や卵細胞、若しくはそのようになる細胞を、培養（大量に生産）して、（足し合わせて）掛け合わせて、実になる細胞や受精卵やクローンを培養して、成長させる。エネルギーを用いて培養液などを作り、肝心な部分（細胞、稲の実、クローン、重要な個体、等）（だけ）を大量生産などする近代化生産方法（技法）。
【図５５】図５５は、吉野カズトラ宇宙世界皇帝の（ネオ・）エコロジー・システム（エネルギー発電所＋飲料水製造（＋塩製造））のイメージ概念図である。 Yoshino UniverseKazutora Yoshino Universe EmpireKazutora Yoshino Emperor's Solar Energy, Wind Energy, Water Energy, FireEnergy, ...Lovely, （海）水の管に、水蒸気を浴びせて水蒸気を冷却して、飲料水を作る。管の中の（海）水は更に排熱で温められて、炉（リアクター）に投入される。炉で、電気コンロや石油コンロやガスコンロによって、熱せられて、塩と水蒸気になる。水蒸気は、タービンを回転させて、タービン（とギヤ）と発電機によって、発電をする。水蒸気は、（海）水の管に、当たり、飲料水になる。太陽光発電や風力発電や水力発電によって得た電気で、電気コンロを熱することが可能である。又、火力発電として、石油やガスコンロで、熱することも可能である。つまり、本発明は、太陽光発電・風力発電・水力発電・火力発電やその組み合わせを、適宜に選べる発電システム（と発電方法）である。
【図５６】図５６は、吉野カズトラ宇宙世界皇帝の（ネオ・）エコロジー・システム（飲料水製造による清涼飲料水）のイメージ概念図である。Yoshino UniverseKazutora Yoshino Universe EmpireKazutora Yoshino Emperor's Hot LemonLovely, 吉野カズトラ宇宙世界皇帝は、飲料水製造で出来た飲料水を、ペットボトルの清涼飲料水として、販売しようとしている。この際、美味しい飲み物を作る研究開発を進めていた。 ホットハニーの成分比： 加圧・加熱で沸騰（水蒸気：１００℃以上）にしたのを、冷却して約３５〜４５℃ぐらいのお湯にして保温する。オプション：お湯（１００℃）：水（１０℃）  ＝  ３５〜４５：６５〜５５  ぐらいで混ぜる。 ホットハニー（基本式）お湯：砂糖：蜂蜜＝１００：１０：１ぐらい ホットレモン（基本式）お湯：砂糖：蜂蜜：レモン＝１００：１０：１：１ぐらい ホットレモン（バリエーション１）お湯：砂糖：蜂蜜：レモン：ビタミンC＝１００：１０：１：１：１ぐらい ホットレモン（バリエーション２）お湯：砂糖：蜂蜜：レモン：ビタミンC：グルタミン酸＝１００：１０：１：１：１：１ぐらい ホットレモン（バリエーション３）お湯：砂糖：蜂蜜：レモン：ビタミンC：グルタミン酸：ポリフェノール＝１００：１０：１：１：１：１：１ぐらい ホットレモン（バリエーション４）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））＝１００：１０：１：１：１：１：１：１ぐらい ホットレモン（バリエーション５）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））：クエン酸＝１００：１０：１：１：１：１：１：１：１ぐらい 美容ホットレモン（バリエーション：女性用）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））：クエン酸：アセロラ：女性ホルモン＝１００：１０：１：１：１：１：１：１：１：１：１ぐらい ＊グルタミン酸は、昆布などから獲得しても良い。スポーツドリンクなどの際は、塩を少量混ぜても良い。（アルカリ・イオン水化しても良い。）＊ポリフェノールは、ワイン（葡萄酒）などから獲得しても良い。＊一日に必要な栄養（の摂取量）を、ホットレモンのペットボトル３本（朝、昼、夜）で、賄えるように、栄養特性にするのを目指して、栄養特性を設計する。
【図５７】図５７は、エコロジー・エネルギー・システム(発電システム（＋飲料水・塩精製システム）)のイメージ概念図である。Yoshino UniverseKazutora Yoshino Universe EmpireKazutora Yoshin Emperor's Solar EnergyLovely, 太陽光などのエネルギーを用いて、太陽光電池を利用したり、（水（液体）を太陽光や燃料（石油、石炭、ガス、地熱、等）やヒーターなどで熱して水蒸気（スチーム）（気体）にして）発電機（モーター）を回転して、オプションとしてバッテリー（電池）に充電して、モーター（ポンプ）を用いて、海水／地下水（飲料水）をくみ上げる。オプションとして、海水を、飲料水と塩にしても良い。オプションとして、水を太陽光で温め、２Dを曲面にしたパラボラミラー（反射鏡）で、温めて、３Dパラボラミラー（反射鏡）で、熱して、水蒸気にする。若し、３Dパラボラミラーで熱しても、沸点（ミズなら１００℃）になっていなければ、センサーが反応して、バッテリーより電気を得て、電気ヒーターがついて、沸点（ミズなら１００℃）になるまで熱する。若し、水位（液体の高さ）が、十分にないなら（閾値に至っていないなら）、センサーが反応して、ポンプを駆動して、十分な水位（水量）になるまで、（海）水（液体）を、汲みあげる（補充する）。発電機は、三相で、其々のコイルの片方の端子が、別のコイルの片方の端子に接続しているような、三端子による発電機や多相発電機でも良い（バッテリーを用いて、発電機をモーターとして用いることも可能である（例えば、二端子発電機なら、直接、三端子発電機なら、ステッピングモーターのように））。ギヤ（／クラッチ）があっても良いが、直接の駆動でも良い。
【図５８】図５８は、エコロジー・エネルギー・システム(発電システム)のイメージ概念図である。Yoshino UniverseKazutora Yoshino Universe EmpireKazutora Yoshin Emperor's Energy Ecology SystemLovely, 太陽光発電（太陽電池パネル（シリコン型、色素増感型、等）、集光型太陽光発電、宇宙太陽光発電、等）、風力発電、火力発電、水力発電、地熱発電、などで得たエネルギーを用いて、交流の出力ならダイオードなどで整流化（直流化）して、白金など（酸化しづらい金属）の電極を用いて、水を、水素と酸素に分解（電気分解）するか、直接、分解（熱分解、等）することによってエネルギーを貯める。白金など（酸化しづらい金属）の電極の燃料電池を用いて、水素と酸素から、水とエネルギー（電気）を作る。燃料電池は、電気エネルギーを、安定した直流電流（／電圧／電気）として出力することが多いので、インバーターにかけて、交流電流（／電圧／電気）（例えば、１００V、５０Hz／６０Hz）に変換して、一般家電用の電気にする。エコロジー・システム（の方法）によって、太陽光力量（日射量）、風力量、火力量、水力量、地熱力量などや、発電機によって、電圧、電流、周波数、等が、変化しても、仮に、コントローラーや、バッテリーがなくても、エネルギーを貯めることが可能である。（バッテリーがあるなら、バッテリーに電気を貯めることも可能である。）コントローラーと燃料電池のコスト（の比較）によって、どちらのシステムが良いかを、選択できる。集光型太陽光発電やレーザー型太陽光発電で、水を、熱分解をするなら、どちらにしろ水素と酸素になるので、水素社会になるなら、エネルギー貯蓄に水素と酸素を貯める方が、より適宜な方法である。水素を濃縮して、濃縮水素ガスとして、使用するか販売することも可能である。また、（電気）エネルギーを直接か、バッテリーに貯めたならバッテリーから、使用するか販売することも可能である。この際、水素ガスの値段と、（電気）エネルギーの値段によって、どちらを販売するかを決めることが可能である。販売販路は、最初は、既存の電力会社を用いるなら、電気の方が構築がしやすいが、水素社会になって、直接、水素を販売する方が、より利益になる（コストパフォーマンスが良い）なら、水素の販売も可能である。ビジネス・モデル（市場獲得の戦略）としては、微妙に、（電気）エネルギーと水素製造のバランスを保ちながら、利益を向上させてゆくのが良い。吉野カズトラ宇宙世界皇帝のエコロジー・システムは、地球にある自然エネルギーや宇宙にある巨大なエネルギーを獲得することによって、大きな経済効果を得ることが可能である（見込める）。
【図５９】図５９は、（ネオ）エコロジー・エネルギー・システム（・アプリケーション）(太陽光熱風力発電システム)のイメージ概念図である。 Yoshino UniverseKazutora Yoshino Universe EmpireKazutora Yoshino Emperor's Solar (Light) Energy (Thermal）Energy Wind Energy (Ground) Heat Energy SystemLovely, 太陽光熱流体風力（地熱力）発電システム： 太陽光力や風力や地熱力を用いて、太陽光反射板などで、熱流体を作り、羽（プロペラ）を回転して、（発電機を回して）、発電する。 パラボラ鏡（／平面鏡）等の反射鏡を用いて、集光して、エネルギー（熱）を集める（回収する）。センター・スフィア（中心球）に、エネルギー（熱）を集めて、水を沸騰させて気化させて水蒸気（スチーム）を作る。（オプションとして、フロンガスを沸騰させて気化させて、スチームを作るのでも良い。） ２Dのパラボラ（放物線）を３Dに、線形に拡張したパラボラ鏡で、タワーの柱の液体（水、フロン、等）を、熱して、（可能なら気化させる。可能なら、水を水素と酸素に、熱分解する。）２Dのパラボラ（放物線）を３Dに、円形（回転形）に拡張したパラボラ鏡で、タワーのセンター・スフィアの液体（水、フロン、等）若しくは、気体（水、フロン、等）をより熱することにより（液体（水（／お湯）、フロン、等）を熱する。可能なら気化させる。可能なら、水を水素と酸素に、熱分解する。スチームをより熱くする。空気を熱膨張させる。等）、熱として、エネルギーを作り、熱流体（スチーム、熱膨張流体気流（空気）、等）によってプロペラを回して、発電する。 オプションとして、２Dのパラボラ（放物線）を３Dに、線形に拡張したパラボラ鏡に、厚みを持たせて、羽にして、複数（例えば、３枚）の羽でプロペラを作る。 太陽光が強い時は、パラボラ鏡（羽）を固定して（ロック、ブレーキをかけて）、太陽光を反射して、集光に用いてもよい。 若しくは、太陽光を反射して、集光に用いて、熱流体（スチーム）を作り、パラボラ鏡（羽、プロペラ）を回転して、（発電機を回して）、発電する。 太陽光を用いたパラボラ反射鏡などによる熱源発生装置を用いるなどして、風力、太陽光（熱）などによって、エネルギー・フィールド（エネルギー流体場）を作る（grad u、grad・u、grad x u）（グレーディエント、発散、渦（カール）、等を用いる。）エネルギー・フィールドによって生じる、圧力グレーディエント（grad p）等によって、プロペラを回転して、発電する。 風力が強い時には、風車として、羽（プロペラ）を直接回転させて、発電しても良い。源泉発電にしても良い。
【図６０】図６０は、（ネオ）エコロジー・エネルギー・システム（・アプリケーション）(太陽光熱風力発電システム)のイメージ概念図である。 Yoshino UniverseKazutora Yoshino Universe EmpireKazutora Yoshino Emperor's Solar (Light) Energy （Thermal）Energy Wind Energy SystemLovely, 太陽光（熱）風力発電システム： 本発明は、太陽光（熱）発電を行うために、平面鏡／パラボラ鏡などの反射鏡を、風量発電を行うための（風車の）羽（プロペラ）として用いて、光を受光しながら、風力発電を行えるシステムである。 例えば、（風車の）羽は、パラボラ鏡（２D放物線を線形に拡張した形）にして、太陽光を受光して、集光したフォーカス・ラインを、太陽光パネル（太陽電池、熱電発電パネル、（固体（保熱剤）や液体（水、フロン、等）や気体（スチーム、フロン化ガス、等）を中に入れた）パイプ、等）に、反射して（羽が動いている（回転している）なら、走査して）、発電する。 太陽光パネルは、外付けに設置していても良く、又（若しくは）、羽の鏡（ミラー）の裏側に、設置して（貼って）あっても良い。 太陽光パネルは、太陽電池なら、シリコン型の太陽電池パネル、色素増殖型、等の太陽電池シート、等を用いれる。 太陽光パネルは、熱電発電なら、シリコン型の（シリコン）ｐ−ｎ半導体熱電パネルなどを、用いることが可能である。 本発明は、発電所として、地面にあっても、（（半分）地下にあっても）、（船のように）海上にあっても良い。 羽の片面／両面に、太陽光パネルを設置して（貼って）、直接、太陽光（熱）を受光しても良い。太陽光（力）が強い時は、モーター（＋ギヤ）を用いて、羽の角度調整をする。（羽を回転して、最も、発電容量が大きかった角度に、定める（回転して、角度調整をする。））風（力）が強い時は、風車として、羽を回転させて、発電機（＋ギヤ）で、発電する。この際、太陽光があるなら、同時に、発電することも可能である。発電機とモーターが両用のステッピングモーター等を用いることによって、より効率を向上することも可能である。
【図６１】図６１は、エコロジー・エネルギー・システム（・アプリケーション）(太陽光・風力・発電システム：（ミニチュア）メガ・ソーラー)のイメージ概念図である。 Yoshino UniverseKazutora Yoshino Universe EmpireKazutora Yoshino Emperor's Solar Energy Wind Energy System: Miniature MegaSolar SystemLovely, 駐車場などに、フレーム（鉄パイプ＋ジョイント＋コンクリート台、等）（＋板）、等で構成されるビルを作り、（メガ）ソーラー・パネルを設置する。 段ボールの箱に、水道管（プラスチックパイプ：内径５ｃｍ、長さ１ｍ〜３ｍ）を入れて、コンクリート＋砂＋水を入れて、固める。（四つ角、等、幾つか作る。） 水道管（プラスチックパイプ）に、鉄パイプ（外径４．８６ｃｍ、長さ２ｍ〜４ｍ）を入れる。鉄パイプをジョイントで、繋ぐ。 オプションとして、屋根に、板を貼る、若しくは、木材を隙間を開けずに敷く、若しくは、木材を隙間を開けて敷く、等する。 鉄パイプとジョイントを組み合わせて、積み上げて、より高いビルにする。 （より安定させるために、ジャングルジムのようにしても良い。） 太陽光パネル（ソーラー・パネル）や、風力発電機（＋コントローラー、バッテリー、インバーター、等）を、設置して、（ミニチュア）メガ・ソーラー・システムを作る。 効果としては、駐車場のような狭い（１０坪ぐらい）の土地でも、（ある程度の高さの／背の高い）ビルを作ることによって、受光面積のある程度大きい、太陽光発電システムを作ることがある程度可能になる。
【図６２】図６２は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、日光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％近くあり、面積１５０ｃｍｘ３０ｃｍの鏡が、約２０００円ぐらいである。同面積の太陽電池は、約２００００円〜３００００円ぐらいなので、鏡で受光した、反射光を、太陽電池や、太陽光熱電パネルに、照射する方が、コスト的に、合理的なのである。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体）を用いるのが、（適宜である）合理的であるので、良い。コンピューターによるモーター制御などによって、コストパフォーマンスと発電効率の良い太陽光発電システム（太陽光熱電発電システム）を作ることができる。
【図６３】図６３は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明（吉野一虎太陽光皇帝の塔）は、ビル型の（ミニチュア）メガ・ソーラーと、角度型（直接型／反射型）の（ミニチュア）メガ・ソーラーを、適宜に組み合わせたシステムである。 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、日光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％近くあり、面積１５０ｃｍｘ３０ｃｍの鏡が、約２０００円ぐらいである。同面積の太陽電池は、約２００００円〜３００００円ぐらいなので、鏡で受光した、反射光を、太陽電池や、太陽光熱電パネルに、照射する方が、コスト的に、合理的なのである。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体）を用いるのが、（適宜である）合理的であるので、良い。コンピューターによるモーター制御などによって、コストパフォーマンスと発電効率の良い太陽光発電システム（太陽光熱電発電システム）を作ることができる。 本発明は、狭い土地でも、太陽光の角度から設計（計算）して、適宜にビルを建てることによって、土地の大きさに比較して、大容量の太陽光エネルギー（ソーラー・エナジー）を獲得することができることを特徴としているシステムである。 光を集光するのに適宜な三次元（3D）の幾何的な構造（比率、寸法、など）（例えば、上部の板に、直接型／反射型なら入射光が遮断されないようにして、反射型��ら反射光が遮断されないで、鏡の角度を適宜に選び、反射光が、集光部（センター・スフィア、センター・プレート、太陽光発電パネル（太陽光電池、熱電発電板、等）、等）に集まるようにする。オプションとして、集光部（／集光部の近く）に、プロペラを付けて、風（熱風）で、回転させるのも可能である。 例えば、Ndiv=５（吉野一虎皇帝の五重の塔）で、ｌ１’＝２ｍ、ｌ２＝２０ｍ、ｌ４＝１０ｍ、ｌ５＝１０ｍ、ｌ２’＝４ｍ、ｌ７＝２８ｍとする。（約200kWの出力を見込める）。反射型なら、コストパフォーマンスが良い。ビルは、基本、鉄筋コンクリートで、作る（足場のような、フレーム構造でも良い）。鉄パイプと鉄パイプをジョイントで、繋いだり、溶接機で、溶接して、強度を獲得しても良い。階段を付けて、設置作業ができるようにする。また、入射部をガラスやダイヤモンドで作り、周りを、建物で覆っても良い（このように周りに建物を建てると、ある程度、ビルが補強されて、反射光による眩しさを軽減できて、スチームで、タービンの回る音なども、軽減できる）。
【図６４】図６４は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明（吉野一虎太陽光皇帝の塔）は、ビル型の（ミニチュア）メガ・ソーラーと、角度型（直接型／反射型）の（ミニチュア）メガ・ソーラーを、適宜に組み合わせたシステムである。（オルタネイティヴ・フォーム） 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、両面、裏（太陽光パネル、熱電発電パネル、スチーム発電、等）から反射光と、表から太陽光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％ぐらいで、面積２００ｃｍｘ２００ｃｍの鏡を、４ｘ４、若しくは、５ｘ５で、用いる（約１００kW~２００kW）(Solar Energy PowerGenerator: example, 1 unit: (2m x 2m), 4 x 4 = 16 units or 5 x 5 = 25 units andso on, 100kW~200kW and so on)。同面積の太陽電池は、比較的高額になるので、鏡で受光した、反射光を、太陽電池や、太陽光熱電パネルに、照射する方が、コスト的に、合理的なのである。又、比較的、高い柱に受光部を載せる必要がないので、（設置コスト、設置作業安全性など）、（コスト）パフォーマンスと、（セイフティー、セキュリティー）パフォーマンスが、良くなる。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体、Si-Ge、等）を用いるのが、（適宜である）合理的であるので、良い。コンピューターによるモーター制御などによって、コストパフォーマンスと発電効率の良い太陽光発電システム（太陽光熱電発電シス���ム）を作ることができる。 コストパフォーマンスを良くするために、平面鏡を、パラボラ反射鏡の形にして、受光部を駆動させる（移動させる、（角度を調整する）、等）のが最善の形態である。 本発明は、狭い土地でも、太陽光の角度から設計（計算）して、適宜にビルを建てることによって、土地の大きさに比較して、大容量の太陽光エネルギー（ソーラー・エナジー）を獲得することができることを特徴としているシステムである。 光を集光するのに適宜な三次元（3D）の幾何的な構造を作る。平面鏡を、平面に並べて、其々の角度を制御する、若しは、平面鏡を、パラボラ反射鏡の形に並べて、角度を微調整するとか、固定して、集光部に光（熱）を集光することを、特徴とした太陽光発電システムである。
【図６５】図６５は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Energy Generator System (Building)Lovely, 本発明（吉野一虎太陽光皇帝の塔）、ビル型（ビルディング）の（ミニチュア）メガ・ソーラー・システムの（フレーム）構造図である。 地盤などの確認をして、測量して、土、砂利、などを平たくして、コンクリートなどを敷き、土台を作り（オプションとして、鉄棒（（鉄）パイプ）などを、コンクリートに埋め込み）、土台と同時に、横と縦と高さの軸（鉄棒、（鉄）パイプ、木、柱）などの構造も安定させる。（鉄）パイプを用いて、周りを縁取った二重構造に、オプションとして斜め補強を入れて、其々の階にも、周りを縁取った二重構造の足場（（鉄）パイプに木を取り付ける）を作って、其々の階の間に、階段を設置して、作業中も駆動中も安全で、安定したフレーム構造を作る。其々の階から、クレーンなどで、（鉄）パイプ等を、その階に持ちあげて、その階からその上（次）の階を作る。これを、複数回繰り返して、（高層）ビルディングにする。全体の構造を安定させる（全体の構造が安定していることを確認する）。鏡、太陽光パネルなどの重さに耐えれてや、風にあおられた時の圧力（力）に耐えれる、強度（強さ）を持っている。適宜な方面（例えば、東面（側）、南面（側）、西面（側）、時間変化太陽方向（変動角度）、等）を向くように、太陽光パネルや反射板（平面鏡角度型、パラボラ型、等）を設置する（適宜な位置（例えば、南方）に集光部を設置する）。例えば、１０ｍｘ１０ｍｘ４０ｍのビルディング（壁と屋上（天井））に、約３５０ｋW〜４００ｋWぐらいの日射量が、降り注いでくるので、若し、発電効率が１０％〜１００％なら、３５ｋW〜４００ｋWぐらいの出力が、見込める。
【図６６】図６６は、エコロジー・エネルギー・システム（・アプリケーション）(太陽光・熱電・発電システム：（ミニチュア）メガ・ソーラーやロケット発射台の建造物の作り方)のイメージ概念図である。 Yoshino UniverseKazutora Yoshino Universe EmpireKazutora Yoshino Emperor's Energy Generator System (Building BuildingMethod)Lovely, 建築物（建造物）を作る方法。 コンクリート＋砂＋水＋空気（若しくは、ケイ砂＋水ガラス＋二酸化炭素）など、鉄パイプ（若しくは、ステンレスパイプ）などを、ジョイントなどで、組み合わせて、フレームを作る。 建物の使用年数が、４５〜６０年ぐらいまでなら、コストパフォーマンスは、コンクリート＋砂＋水＋空気、鉄パイプ、防水性ペンキの方が良いが、建物の使用年数６０年以上なら、錆びないようにステンレスパイプ（オプションとして、DLCコーティング）を用いて、劣化しずらいようにケイ砂＋水ガラス＋二酸化炭素（CO2）を用いるのが、最善の形態である。 （I）風車の台をベランダのイクすテンションに作る方法。 （II）（ミニチュア）ビルを作る方法。コンクリート、鉄（ステンレス）パイプなどを、ジョイントなどで、組み合わせて、ベース・フレームを作る。鉄（ステンレス）パイプなどを、ジョイントなどで、組み合わせて、階段を作り、アセンド・フレームを作る。鉄（ステンレス）パイプなどを、ジョイントなどで、組み合わせて、フロア・フレームを作り、木の板などを取り付けて、足場（床）を作る。ベース・フレーム、アセンド・フレーム、フロア・フレームを、ユニットフレームとする。これを複数回繰り返して、ユニット・フレームを積み重ねて、複数階の建物（建造物）を作る。例えば、１０ｍｘ１０ｍｘ４０ｍのビル（フレーム・ビル、ロケット発射台、等）を作る。 （III）雨水を集めたり、地下水を用いたりして、地下水槽（プール）を作る。（スキューバ）ダイビングの練習や、宇宙飛行（無重力）の練習・訓練を行う。
【図６７】図６７は、エコロジー・エネルギー・システム（・アプリケーション）(太陽光（光／熱電／熱）発電システム)のイメージ概念図である。 Yoshino UniverseKazutora Yoshino Universe EmpireKazutora Yoshino Emperor's Solar (Light) Energy (Thermal）Energy Generator SystemLovely, 太陽光（光／熱電／熱）発電システム： 太陽光の反射光の集光（出力）のデータ：      システム                     ｘモルティプル・ファクター           比較出力（サンプル）       比較出力（現実的、現実化）              比較出力（出力倍率・出力効率）                                        （I）太陽光発電（太陽電池）         ｘ１００倍（面積の鏡）               １．０  V  〜              １０．０  V                                    ２倍（II）太陽光発電（熱電発電）        ｘ１００倍（面積の鏡）                 １０．０  V  〜            １００．０  V                                 １０倍（III）太陽光発電（ダイナモ）      ｘ１００倍（面積の鏡）                  １００．０  V  〜          １０００．０  V               １００倍  （変換効率が１０％なら１０倍、変換効率が１００％なら１００倍） （例えば、１００倍〜１００００倍ぐらいの）反射光を用いる際は、（I）太陽光発電システム（太陽電池（シリコン従来型）システム）よりも、（II）太陽光熱電発電システム（や太陽電池（III-V族化合物（多接合）型）システム）、若しは、（水（水蒸気、スチーム）＋タービン＋）ダイナモを用いて（III）太陽光熱発電システム（ダイナモ型）を作るのが、特性的に優れている。 効率の改善化と、コストパフォーマンス的には、（III）太陽光熱発電システムを作るのが、特性的に優れている（ポテンシャルも高いので、合理的である）。 本発明の最善の形態は、集光型の（III）太陽光熱発電システムである。 Yoshino UniverseKazutora Yoshino Universe EmpireKazutora Yoshino Emperor's Solar Energy Generator System (SemiconductorPanel vs Dynamo System)Lovely, 吉野一虎宇宙世界皇帝（YoshinoAdvancedEnergy）の設計するハイパワー集光型太陽光発電システムでは、従来型の太陽電池パネルが不可能であった、（発電量／コスト）の比率を数倍にさせることが出来る。 吉野一虎宇宙世界皇帝（YoshinoAdvancedEnergy）のハイパワー集光型太陽光発電システムでは、従来型の太陽電池パネルを用いた同じぐらいの発電量のメガソーラーシステムの約７０％ぐらいのコストに近づけることが、現実的に可能であり、将来的には、理論的には、約２５〜４５％ぐらいに近づけることも可能である。又、従来、太陽電池の製造の際にＣＯ２が排出されるのに対して、吉野一虎宇宙世界皇帝（YoshinoAdvancedEnergy）のハイパワー集光型太陽光発電システム製造の際には、ＣＯ２が排出されない。 （吉野一虎宇宙世界皇帝（YoshinoAdvancedEnergy）の（大型の）ハイパワー集光型太陽光システムのメガソーラー） 吉野一虎宇宙世界皇帝（YoshinoAdvancedEnergy）の（大型の）ハイパワー集光型太陽光発電システム（集光パネル型と集光ダイナモ型）のメガソーラーの強みと弱み（従来型の太陽電池のメガソーラーとの比較） 『吉野一虎宇宙世界皇帝（YoshinoAdvancedEnergy）の（大型の）ハイパワー集光型太陽光発電システム』                        コスト  サイズ  重さ    精度    速度    耐久性  拡大性  静音性  効率    (半導体鏡)集光＜半導体＞パネル型             ○      ◎      ◎      ◎      ◎      ◎      ◎      ◎      ◎ （アルミ鏡）集光＜電磁＞ダイナモ型             ◎      ◎      ◎      ◎      ◎      ◎      ◎      ○      ◎  吉野一虎宇宙世界皇帝（YoshinoAdvancedEnergy）の（大型の）ハイパワー集光型太陽光発電システムのメガソーラーを、従来の太陽光電池のメガソーラーと比較すると、集光パネル型と集光ダイナモ型のメガソーラーの両方とも、大型であるなら、ハイパワー集光型太陽光発電システムのメガソーラーは、従来の太陽電池のメガソーラーに対して、強みと同レベルはあるが、弱みはない。（ハイパワー集光型太陽光発電システムのダイナモ型は、広大な土地で活用するためにも設計されているので、ある程度音があっても問題はないが、宅地用に、ハイパワー集光型太陽光発電システムの集光ダイナモ型のユニットは、発電効率が良く、防音性に優れているため静穏性でも、従来型のメガソーラーと、殆ど同レベルである。）吉野一虎宇宙世界皇帝（YoshinoAdvancedEnergy）の（大型の）ハイパワー集光型太陽光発電システムの集光ダイナモ型のメガソーラーの本当の強みは、日射量が多い（水辺の近くの）広い土地での発電の際、（大量の）（電気）エネルギーの生成をするのと同時に、（大量の）雨水や川や海水などを浄水して飲料水を作ることが出来ることである。 波及効果（１）コストパフォーマンスの良いハイパワー集光型太陽光発電システムを開発することによる豊富なハイパワーエネルギー生産によって、雨水などの浄水による飲料水や砂糖などのエネルギー生産製造が可能になり、日本やアメリカでのエネルギー活動を基本とした食生活などの生活の基盤を安定させることが可能になる（十分なカロリー摂取量の生産等を行える）。（２）飲料水の不足によって起きると予想される国際紛争に対して、日本やアメリカで、ハイパワー太陽光発電システムを用いて、事前に飲料水を大量に製造・貯蔵することによって、飲料水の戦略的埋蔵量の増大をして、紛争時・戦時に対処をするための準備することが可能になる。（日本やアメリカで、飲料水埋蔵量や飲料水生産能力（飲料水獲得能力）が十分にあれば、少なくとも国際レベルの飲料水奪取のための国際紛争や戦争に巻き込まれないで済む可能性はある。又、ハイパワー集光型太陽光発電システムによって、日本やアメリカが、豊富な水資源やエネルギーを獲得・貯蔵・保有することが出来るなら、国際レベルの飲料水の紛争や戦争を平和解決出来るだけの（潜在的な）能力を獲得することが、可能になる。）（３）ハイパワー集光型太陽光発電システムは、国際的にも色々な場所（特に赤道に近くて海岸沿いの場所（沖縄、アラブの海岸、若しくは、日射量が多い広大な土地（サハラ砂漠、アリゾナ砂漠）、等）でも、有効な方法なので、国際的なエネルギー問題と綺麗な飲料水の不足の問題に、対処できる可能性もある。国際的にもエネルギーと綺麗な飲料水の生産が可能になる。（４）又、集光型発電システムは、駆動時、製造時におけるＣＯ２の削減にも役立つ。（５）又、ダイナモ・モーターの製造によって、エネルギー生産の増大（向上）によって、利益を向上できるなら、ダイナモ・モーターの製造量の加速が可能になる。ダイナモ・モーターの組み立てなどの製造は工場レベルと家庭レベルの両方で可能であるため、加速的に、巨大な雇用市場を、創出することになり得る。大量のダイナモ・モーターによって、巨大なエネルギー生産ができれば、世界（特に、日本やアメリカ）のエネルギー問題は、解決する可能性が十分ある。ダイナモ・モーターの発電効率を数パーセント向上することが出来て、そのダイナモ・モーターを使用するなら、太陽光発電だけでなく、風力発電、火力発電、水力発電、海洋力発電、地熱発電、源泉バイナリー発電などの発電効率も、同時に数パーセント向上させることが可能になる。ダイナモ・モーターの高効率化とその使用数の向上によって、世界（特に、日本やアメリカ）の経済が、同時に数パーセント向上することも可能になる。
【図６８】図６８は、エコロジー・エネルギー・システム（・アプリケーション）(太陽光（光／熱電／熱）発電システム：コンピューター制御)のイメージ概念図である。 Yoshino UniverseKazutora Yoshino Universe EmpireKazutora Yoshino Emperor's Solar (Light) Energy (Thermal）Energy Generator System  (Computer Control)Lovely, 太陽光（光／熱電／熱）発電システム（（MEMS型の）コンピューター制御）： 例えば、４ｘ４の反射鏡配列（ミラー・アレイ、ミラー・マトリクス）を用いるなら、 太陽の位置や、モーター（＋ギヤ）の位置（鏡の位置）、出力データ、等、をセンサー等で読み取ったデータを、８２５５を介して、コンピューター（CPU）に入力して、解析、計算、情報処理などして、８２５５を介して、適宜な情報（電圧データ）等を、カード・セレクター機能によって、適宜なモーター・ドライバー・ボードのD／Aコンバーターに出力して、適宜なユニットのモーター・ドライバー・ボードとモーターを制御する。タイマーでループにしてもよい。 フロー・チャート：              スタート              →  タイマーに合わせて、太陽の位置や、モーター（＋ギヤ）の位置（鏡の位置）、出力データ、等、をセンサー等で読み取る。              →  コンピューターは、必要なら、８２５５を介して、モーター（＋ギヤ）の位置（角度）があるべき所に移動するように、カード・セレクターで、適宜なカードを選び、（適宜な）D／Aコンバーターに、適宜な電圧を出力する。              →  カード・セレクターは、、スイッチ機能で、D／Aコンバーター（＋ドライバー（トランジスター））と適宜なモーターへの接続をして、モーター（＋ギヤ）（＋鏡）を駆動する。              →  タイマーに合わせて、必要なら、リピートする。               プログラム（コンセプト）：if (timer == t + T1*delta_t) {for (i = 1; i <17; i++) {              Card_Selector_Address= function_(i);              output(PortC(II),Card_Selector_Address);              output(PortA,Output_Value_A(i));              output(PortB,Output_Value_B(i));              output(PortC(I),Output_Value_C(I)(i));｝｝ プログラム（インターフェース）int i;int iv1;int iv2;int iv3;int Sun;int Motor_Location;int Power_Amount;int Card_Selector_Address;int Output_Value_A(17, 360, 360, 255);int Output_Value_B(17, 360, 360, 255);int Output_Value_C(17, 360, 360, 255);Sun=1;Motor_Location=2;Power_Amount=3;Card_Selector_Address=1;Output_Value_A(17)=0;Output_Value_A(17)=0;Output_Value_A(17)=0;if (timer == t + T1*delta_t) {              iv1=input(Data_Package(Sun));              iv2=input(Data_Package(Motor_Location));              iv3=input(Data_Package(Power_Amount));for (i = 1; i <17; i++) {              Card_Selector_Address= function_(i, iv1, iv2, iv3);              output(PortC(II),Card_Selector_Address);              output(PortA,Output_Value_A(i, iv1, iv2, iv3));              output(PortB,Output_Value_B(i, iv1, iv2, iv3));              output(PortC(I),Output_Value_C(I)(i, iv1, iv2, iv3));｝｝ プログラム（オルターネティヴ）int i;int iv1;int iv2;int iv3;int Sun;int Motor_Location;int Power_Amount;int Card_Selector_Address;Function Data_Package(4);Function Output_Value (4,17, 360, 360,255);Sun=1;Motor_Location=2;Power_Amount=3;Card_Selector_Address=1;Output_Value_A(17)=0;Output_Value_A(17)=0;Output_Value_A(17)=0;if (timer == t + T1*delta_t) {              iv1=input(Data_Package(Sun));              iv2=input(Data_Package(Motor_Location));              iv3=input(Data_Package(Power_Amount));for (i = 1; i <17; i++) {              Card_Selector_Address= function_(i, iv1, iv2, iv3);              output(PortC(II),Card_Selector_Address);              output(PortA,Output_Value(1, i, iv1, iv2, iv3));              output(PortB,Output_Value(2, i, iv1, iv2, iv3));              output(PortC(I),Output_Value(3, i, iv1, iv2, iv3));｝｝
【図６９】図６９は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building: ChairType)Lovely, 本発明（吉野一虎太陽光皇帝の塔）、椅子型（ビルディング）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 最善の形態が、椅子型である。椅子型が、東を向いているなら、背もたれの部分を両面で使えて、座る部分の片面が使える。南向き（片面）に、もう一枚、背もたれを追加しても良い。 鏡配列（ミラー・アレイ、ミラー・マトリクス）を用いて、（MEMS型の）コンピューター制御を行い、効率の良い発電機（ダイナモ）を用いるなら、十分な、利益が見込める。
【図７０】図７０は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building FootBall Type)Lovely, 本発明（吉野一虎太陽光皇帝の塔）、椅子型（ビルディング）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 コストパフォーマンスを良くするなら、最善の形態が、フットボール型である。柱（ポール）の部分が、回転式になっていて、太陽の方向を向くように、コンピューター（＋モーター＋ギヤ）制御しても良い。 鉄パイプ（／水道管パイプ／木、等）を、ジョイントで繋げる、若しくは、溶接によって、接合させる（くっ付ける）。これによって、７本の鉄パイプで、強度が十分な構造を、作れる。 必要なら下部二本の脚の内径に入る外径の延長パイプを繋いで、拡張して安定させても良いが、脚の代わりに、柱（ポール）の台の部分を、地下に埋め込み、コンクリートなどで固めても良い。 上部と下部を、グラウンドで作り、下部を立てて、固定して、上部を上からクレーン（車）で吊るして（若しくは、家の近くなら、ベランダや、屋上などから吊るして）、取り付けることが、可能である。 太陽光パネルを用いるなら（太陽の方向を向くように、柱（ポール）や太陽光パネルの角度をコンピューター制御すること可能なら）、ある程度の利益は見込める。 鏡配列（ミラー・アレイ、ミラー・マトリクス）を用いて、（MEMS型の）コンピューター制御を行い、効率の良い発電機（ダイナモ）を用いるなら、十分な、利益が見込める。 吉野カズトラ宇宙世界皇帝の一言：『フットボール型は、太陽光発電のフレーム・ベースに用いることが出来て、又、ダイナモ・モーターのローテーション・ベースに用いることが出来るので、開発には、一石二鳥（一挙両得）である。』
【図７１】図７１は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building: KingChair Type)Lovely, 吉野カズトラ宇宙世界皇帝の光と水と電気： 本発明（吉野一虎太陽光皇帝の塔）、王の椅子型（ビルディング）（バルコニー型）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 特に最善の形態が、王の椅子型（バルコニー型）である。椅子型が、東を向いているなら、背もたれの部分を両面で使えて、座る部分の片面が使える。南向き（片面）に、もう一枚、背もたれを追加しても良い。 鏡配列（ミラー・アレイ、ミラー・マトリクス）を用いて、鏡配列の其々の鏡の２Ｄ／３Ｄ角度（や３Ｄポジション、位置）を、駆動手段（モーター（ステッピングモーター、等）、リニア・モーター、シャフト・モーター、ソレノイド、リニアステージ、等）を用いて、調整して（（MEMS型の）コンピューター制御を行い）、効率の良い発電機（ダイナモ）を用いるなら、十分な、利益が見込める。 オプションとして、集光部（ブラック・ボックス、ブラック・スフィア、等）をリニアステージ（モーター（ステッピングモーター、等）、リニア・モーター、シャフト・モーター、ソレノイド、等）で、２Ｄ／３Ｄポジションを移動して、より光が集まるところに、移動しても良い。集光部へ水（スチーム）／（フロン化ガス）等を、送る際、３Ｄポジションの設定が可能なように、スプリング型（スプリング状）のホース（ホワイト・スネーク、等）を設置する。 王の椅子型（バルコニー型）は、屋根や、パネル層の床で、雨水を回収して、ウォーター・タンク（貯水槽）に貯める。雨水を、太陽光で、温めて、スチームを作り、プロペラ（タービン）を回し、発電機（ダイナモ・モーター）で発電して、（コントローラーで、ＤＣに変換して）バッテリーに貯めて、インバーターで、１００Ｖ（５０Ｈｚ／６０Ｈｚ）にして、送電（売電）する。スチームを回収して、飲料水（蒸留水）を作る。また、発電機（ダイナモ・モーター）、コントローラーから来る電気を用いて、バッテリーだけでなく、水を、電気分解して、水素と酸素にして、貯蔵しても良くて、エネルギーを必要に応じて、（水素と酸素を反応させて）燃料電池で、発電して、インバーターで、１００Ｖ（５０Ｈｚ／６０Ｈｚ）にして、送電（売電）する。 王の椅子型（バルコニー型）は、埼玉県入間市下藤沢５５０−１１の吉野信法王の家（と庭）の土地に合わせると、例えば、庭に合わせて、（長さ）（８ｍ〜１０ｍ）ｘ（高さ）（８ｍ〜１２ｍ）ｘ（幅）（３ｍ〜４ｍ）ぐらいにして、バルコニーの床の高さは、３ｍ〜３．５ｍぐらいで、ミラー・アレイの高さは、３．５ｍぐらいで、バルコニーのフレーム（太陽光が通る隙間で、足台となる幅に細めのフレームを幾つか敷く）は、３．５ｍ〜４ｍぐらいにする。鉄パイプと、水道管の組み合わせになる。ウォーター・タンクは、長さ（１ｍ〜２ｍ）ｘ高さ（４ｍ〜１２ｍ）ｘ（幅）（３ｍ〜４ｍ）ぐらいにする。発電用スチームによる飲料水製造機に用いるウォーター・タンクと、水の水素と酸素への電気分解用のウォーター・タンク＋水素タンク＋酸素タンクを、併用すると、一挙両得である。
【図７２】図７２は、エコロジー・エネルギー・システム（・アプリケーション）(集光型太陽光（太陽電池、熱電パネル）発電システム：（ミニチュア）メガ・ソーラー)のイメージ概念図である。 Yoshino UniverseKazutora Yoshino Universe EmpireKazutora Yoshino Emperor's Solar Energy Generator System Lovely, 吉野カズトラ宇宙世界皇帝の集光型太陽光発電システムである。 静音、集光手段などによって出力向上、（シリコン、半導体などの、）太陽光パネル発電ユニット（太陽光電池ユニット、熱電発電パネルユニットなど）（配列、アレイ）の使用率を最適化して、コストパフォーマンスを良くすることを、目的とした集光型太陽光発電システムである。 鏡（平面鏡、パラボラ鏡）、レンズ（フルネルレンズ、マイクロアレイレンズ）などの集光手段によって、太陽光を集め、太陽光パネルに照射して、出力を向上する。メカニカルな部分が、鏡の位置や角度の調整や、太陽光パネルの位置や角度の調整だけなので、静音で、太陽光発電パネル（アレイ）の出力向上になる。
【図７３】図７３は、エコロジー・エネルギー・システム（・アプリケーション）(集光型太陽光（太陽電池、熱電パネル）発電システムの配線図：（ミニチュア）メガ・ソーラー)のイメージ概念図である。 Yoshino UniverseKazutora Yoshino Universe EmpireKazutora Yoshino Emperor's Solar Energy Generator System Lovely, 吉野カズトラ宇宙世界皇帝の集光型太陽光発電システムの配線図である。発電機（ダイナモ、ダイナモ・モーター）や太陽光パネルによる発電が可能である。 発電機（ダイナモ、ダイナモ・モーター）や太陽光パネルをコントローラーに接続する。オプションとして、鏡（の位置や角度の調整機構）をコントローラーに接続する。オプションとして、集光部（の位置や角度の調整機構）をコントローラーに接続する。 バッテリーをコントローラーに、接続する。電気パーツは、基本、バッテリーから得る。バッテリーをインバーター（パワーコンディショナー）に接続する。インバーター（パワーコンディショナー）を、売電メーター（計量器）に接続する。売電メーター（計量器）を配電線に接続する。
【図７４】図７４は、エコロジー・エネルギー・システム（・アプリケーション）(集光型太陽光（太陽電池、熱電パネル）発電システム：（ミニチュア）メガ・ソーラー)のイメージ概念図である。Yoshino UniverseKazutora Yoshino Universe EmpireKazutora Yoshino Emperor's Solar Energy Generator System (Balcony(Lens/Reflector) Style)Lovely, 吉野一虎宇宙世界皇帝のバルコニー型太陽光発電システムは、大面積にある太陽光エネルギーを、（コンピューター制御された）集光手段（反射鏡やレンズ）を用いて、高濃度エネルギーに、（一度、若しくは、複数回）濃縮することを特徴（技術）とする。 反射鏡型は、例えば、太陽光を、其々がコンピューター制御された複数の反射鏡（平面鏡）を用いて、パラボラ鏡に集めて光を反射させて集光的に集めて、（オプションとして、パラボラ鏡の光をレンズで集めて）、光（熱）を、集光部に照射する。集光部は、ブラック・ボックス（ブラック・スフィア、等）、若しくは、太陽光パネル（太陽電池、熱電発電パネル）等で、良い。 レンズ型は、例えば、バルコニーに配列した、レンズ（レンズ・アレイ）を、用いて、太陽光を集光させる。其々がコンピューター制御されたレンズは、光を一点（パネルの一面、若しくは、パネルの複数面）に、集光させる。（レンズ：虫めがねのようなレンズを用いて、集光しても良い。又、フルネルレンズ・シート等を曲面を描くように設置して、集光しても良い。）レンズの間に隙間を作り（レンズが円形なら、角の間隔等に隙間ができる）、ある程度の光が、中庭（地面（下部）、等）に、届くようにして、葡萄、等、弱い光でも育つような植物を栽培することが可能である。又、光を集光するスペース（の角度）以外に、日光が、照射する場所があり得るので、梅の木（畑）などを、バルコニー（の下）に、作るのも可能である。梅の木は、レンズで集光された、発電用の光を妨げないように、高さの調整（例えば、バルコニーが３ｍぐらいなら、梅の木は、２．５ｍぐらいの高さに切って揃える。）などの手入れをしても良い。売電で得た収益を用いて、梅の木（畑）をより大きくして行くのも可能である。売電を（するのを基本と）しても良いが、太陽光の日射量からくる熱を、（直接）熱利用などして、熱加工、プラスチック製品の製造をしたり、雨水を浄化したり、海水から、飲料水と塩を生産することも可能である。
【図７５】図７５は、エコロジー・エネルギー・システム（・アプリケーション）(集光型太陽光（太陽電池、熱電パネル）発電システム＋風力発電システム：（ミニチュア）メガ・ソーラー)のイメージ概念図である。Yoshino UniverseKazutora Yoshino Universe EmpireKazutora Yoshino Emperor's Solar Energy Generator System + Wind EnergyGenerator SystemLovely, 吉野カズトラ宇宙世界皇帝の発電システムは、太陽光発電と、風力発電とを一緒に合わせた、オタマジャクシ型ブラック・スフィア（集光球＋しっぽ羽）を用いて、風の向きを向くオタマジャクシによって、風車のプロペラの片側をカバーして（隠して）、グレーディエントを作り、風力発電するのと、太陽光の集光部を両立させて、塔の先端に作ることによって、エネルギーを得ることを特徴とした、一挙両得なシステムである（ことも可能である）。
【図７６】図７６は、エコロジー・エネルギー・システム（・アプリケーション）(集光型太陽光（太陽電池、熱電パネル）発電システム：（ミニチュア）メガ・ソーラー)のイメージ概念図である。 Yoshino UniverseKazutora Yoshino Universe EmpireKazutora Yoshino Emperor's Solar Energy Generator System (Krystal HikariYoshino Queen's The Church of Emily Yoshino)Lovely, 吉野カズトラ宇宙世界皇帝の集光型太陽光発電システムと吉野クリスタルヒカリ女王の吉野エミリー教会： レンズ・アレイ配置の図と、フレーム構造の設計図である。 縦長ｘ横長ｘ高さ８ｍｘ８ｍｘ５ｍバージョン：  アメリカ合衆国、ウィスコンシン州、プラットビル（吉野エミリー女王の家）８ｍｘ６ｍｘ５ｍバージョン：  日本国、新潟県（吉野綾子将軍と吉野世礼菜（セレナ）副将軍の家）８ｍｘ３ｍｘ５ｍバージョン：  日本国、埼玉県入間市下藤沢５５０−１１（吉野信法王の家） 建築しやすいように、３：４：５の比率を用いて、５を半径として、球面を作る。レンズ・アレイの其々のレンズを、球面の其々の位置について、基本的に垂直に、（若しくは、角度を付けて）、配置する。 例えば、縦長を８ｍ（半分が、４ｍ）、高さ３ｍ、（横長３，６，８ｍ）とすると、対角線が５ｍになり、５ｍを半径として、円（弧）を描くと、縦長を８ｍ（半分が、４ｍ）、高さ５ｍ（横長３，６，８ｍ）のドーム（建築物）が出来る。焦点距離が、５ｍのレンズ・アレイを、ドームに、（基本的には垂直に）、適宜な位置と角度で、配置する。太陽が、（真）南に来た時（大体１２：００ぐらい）に、焦点が、一致するように、レンズ・アレイを設置する。太陽の角度（Θ,φ）と、レンズによって、出てくる、焦点誤差をσ（Θ,φ）とする。 レンズ・アレイは、固定式、若しくは、（マニュアル、若しくは、制御などによるオートの）可動式。 オプションとして、コンピューター・コントロールで、レンズ・アレイ（の其々のレンズ）の（位置や）角度を調整する。焦点誤差をσ（Θ,φ）軽減（／最適化）して、発電効率を良くする。 オプションとして、コンピューター・コントロールで、集光部（集光球、太陽光パネル（太陽電池、熱電発電パネル、等））の（位置や）角度を調整する。受光効率ζ（Θ,φ）向上（／最適化）させて、発電効率を良くする。
【図７７】図７７は、エコロジー・エネルギー・システム（・アプリケーション）(集光型太陽光（太陽電池、熱電パネル）発電システムの反射鏡（（Lens + Mirror）＝（Parabola Mirror）、（レンズ＋鏡）＝（凹面鏡））：（ミニチュア）メガ・ソーラー)のイメージ概念図である。 Yoshino UniverseKazutora Yoshino Universe EmpireKazutora Yoshino Emperor's Solar Energy Generator System (Reflector:(Lens +Mirror) = (Parabola Mirror))Lovely, 反射鏡（レンズ＋鏡や、パラボラ・ミラー）を用いて、太陽光を反射させて、集光して、発電を行う太陽光発電システム。 太陽光の反射は、反射鏡で行うが、パラボラ・ミラーを用いて集光するのは、集光効率が良くて、レンズとミラー（平面鏡）を（一体にして）合わせて集光するのは、コストパフォーマンスが良い。 レンズとミラー（平面鏡）一体型の反射鏡は、パラボラ・ミラーの反射鏡の約１０倍ぐらいのコストパフォーマンスが良い。つまり、例えば、約１０ｃｍ（〜２０ｃｍ）直径のレンズとミラー（平面鏡）一体型は、１ユニット、約１００円（〜２００円）ぐらいだとすると、パラボラ・ミラーは、約１０００円（〜２０００円）ぐらいである。太陽光反射鏡ユニットを、大量に（複数）用いるときは、コストパフォーマンスが良い反射鏡は、レンズとミラー（平面鏡）一体型の方になる。レンズ＋反射フィルムの組み合わせにすると、よりコストパフォーマンスが良くなる。集光型（反射鏡型やレンズ型）太陽光発電システムは、レンズの焦点距離が、より長い方が、より多くの反射鏡を設置できるため、発電量を大きくできる。レンズの焦点距離が長いレンズを、大量生産すると、よりコストパフォーマンスが、良くなる。
【図７８】図７８は、エコロジー・エネルギー・システム（・アプリケーション）(集光型太陽光発電システム（３Eシステム）：（ミニチュア）メガ・ソーラー)のイメージ概念図である。 Yoshino UniverseKazutora Yoshino Universe EmpireEmily Yoshino Queen + Kazutora Yoshino Emperor's 3E (Economy, Ecology, Energy)SystemLovely, 反射薄膜（反射フィルム）と薄い反射板を、組み合わせて、反射鏡ユニットパネルを作る。反射鏡ユニットパネルは、平面でも、パラボラ（２Dカーブ／３Dカーブ）でも良い。反射鏡の素材は、金属系（銀、アルミ、等）である。アルミホイルや、ミラーシートを、ユニットパネルベース（板）に貼る。例えば、若し、１０ｃｍｘ１０ｃｍの反射鏡ユニットパネル（ミラーシート＋プラスチック薄板）のコスト（素材コスト＋製造コスト）は、約１０円ぐらいなら、約１０００枚（３０ｘ３０ユニット〜３２ｘ３２ユニット）約１００００円を、約３ｍｘ３ｍに、配列させて、角度を調整して、（パラボラ型、若しくは、MEMS型の）反射鏡を作る。其々の反射鏡ユニットパネルは、固定式、若しくは、可動式（コンピューター制御（ソレノイドやモーターを用いて、コンピューター（＋ドライバー（回路＋電源））で制御・管理する））である。反射鏡ユニットパネルアレイを、１２：００ぐらいの南向きに固定式にすると、コストが比較的掛らないので、天気が良い日の日中のコストパフォーマンスは、良くなる（局時的、局部的には、コストパフォーマンスが良い。）約３ｍｘ３ｍ（〜３．１ｍｘ３．１ｍ）ぐらいで、約１４ｋWの（太陽光のエネルギー）なので、１リットルの水（例えば、うどん、カップヌードル、インスタントラーメン、芋を吹かす、肉まんを吹かす、蒸しパンを吹かす、等の水）を３分ぐらいで、沸かすことが出来るので、（とりあえず、家庭レベルでは、料理には）十分なエネルギー源（熱、出力）になる。ブラックボックスで、水を水蒸気（スチーム）にして、タービンと（オプションのギヤと）ダイナモ（・モーター）を用いて、発電する。これを、吉野カズトラ宇宙世界皇帝の３Eシステム（エコノミー・エコロジー・エネルギー：(3E System) =(Economy, Ecology, Energy System)）の１ヨシノカズトラソーラーユニットとする。例えば、約１４ユニットヨシノカズトラソーラーユニット（４ｘ４ヨシノカズトラソーラーユニット＝１６ヨシノカズトラソーラーユニット（１２ｍｘ１２ｍのヨシノカズトラソーラーユニット））で、約２００ｋWの太陽光エネルギーを得る（（２００ｋW）ｘ（発電効率）の出力を得ることが出来る）ことになる。
【図７９】図７９は、エコロジー・エネルギー・システム（・アプリケーション）(集光型太陽光発電システム（３E・プリズム・システム）：（ミニチュア）メガ・ソーラー)のイメージ概念図である。 Yoshino UniverseKazutora Yoshino Universe EmpireEmily Yoshino Queen + Kazutora Yoshino Emperor's 3E (Economy, Ecology, Energy)Prism SystemLovely, Type  I)  太陽光を、レンズや反射鏡で、集光して（例えば、約１０００倍〜２０００倍）、III-V族化合物接合太陽電池（３接合、４接合、５接合・・・等）に、照射して、発電する。           例えば、３接合なら、インジウムガリウムリン（青）、ガリウムヒ素（緑）、インジウムガリウムヒ素（赤）などである。 Type II）しかしながら、２０１３年では、未だ、III-V族化合物接合太陽電池の大型化と低コスト化と実用化が、容易でない。そこで、既に、実用化されている宇宙用太陽電池（国際宇宙ステーション用太陽電池、人工衛星用太陽電池）やIII-V族化合物接合太陽電池の複数ユニットなどを用いて、適宜な幅と流速（タイミング）で、太陽電池の表面（防水加工されている）に水を流して、太陽電池を冷やしながら、発電する。水と太陽電池の、エネルギー分配は、例えば、３０％と７０％ぐらいにする。集光型太陽光発電で、レンズや反射鏡で、約１０００倍〜２０００倍ぐらいに、光を濃縮しているなら、３０％のエネルギーで、水（表面の冷却水）をスチームにして、（タービン＋ダイナモで）発電して、７０％のエネルギーで、太陽電池による発電をする。 Type III）しかしながら、宇宙用太陽電池や、III-V族化合物接合太陽電池は、製造の際、積層することによって、高コストになるため、太陽光を、レンズや反射鏡の（位置や）角度をコンピューター制御で、調整して、（位置や）角度がコンピューター制御されたプリズムに照射して、分光して、青の波長の太陽電池、緑の波長の太陽電池、赤の波長の太陽電池に、其々照射して、太陽電池で、発電する。可能性としては、一枚の太陽電池に、縦、若しくは、横に、青、緑、赤用の太陽電池を、並べても良い。例えば、インジウムガリウムリン（青）、ガリウムヒ素（緑）、インジウムガリウムヒ素（赤）などである。光の波長（色）（分光）は、二色や三色や四色や五色等でも良いが、三色（青、緑、赤）よりも多くても良くて、太陽電池の波長に合わせて、分光する。特に、分光数が増えると、積層の接合太陽電池では、製造が容易ではない。コンピューターによるレンズや反射鏡やプリズムの（位置や）角度の調整して発電するシステムの方が、III-V族化合物接合太陽電池を用いる発電より、コストパフォーマンスが良いのである。本発明の太陽光発電は、集光して分光して発電するのでも、若しくは、分光して集光して発電するのでも良い。（集光・分光・受光発電、若しくは、分光・集光・受光発電である。） Type IV）集光型太陽光発電では、１０００倍とか数千倍の太陽光の濃縮率も可能なので、１％とか数％の効率の改善も、大きな出力の改善になる。このため、本発明は、吉野一虎宇宙世界皇帝のグレーディエント・インデックス・ソーラー・バッテリーを用いることも可能である。グレーディエント・インデックス・ソーラー・バッテリーは、Type I、若しくは、Type IIIを改善して、プリズムなどによって（略）連続的に分光されて、所望の位��に照射された（略）連続した波長の光を、光の吸収波長に合った（略）連続的な太陽光電池によって発電することを特徴とする。プリズムなどによって（略）連続に分光された異なる波長を受光する位置にある太陽光電池素材を、適宜な化学的な素材や濃度で、構成する。例えば、インジウム、ガリウム、リン、ヒ素、などの濃度割合などを、適宜に設定する。インジウムガリウムリン（青）、ガリウムヒ素（緑）、インジウムガリウムヒ素（赤）の間の（略）連続的な中間色の波長にも対応する。製造の際、適宜な濃度の適地な（所望の位置への）配分に、遠心分離機などの慣性グレーディエント製造法（イナーシャ・グレーディエント・メソード）などを用いても良い。 Type V）吉野一虎宇宙世界皇帝のレンズ・プリズム・グレーディエント・インデックス・ソーラー・バッテリーやミラー・プリズム・グレーディエント・インデックス・ソーラー・バッテリーを用いることも可能である。プリズム・グレーディエント・インデックス・ソーラー・バッテリーやミラー・プリズム・グレーディエント・インデックス・ソーラー・バッテリーは、Type IVを、進化させて、集光機（レンズやミラー）や分光器（プリズム）や、グレーディエント・インデックス・ソーラー・バッテリーを、（ミニ）ユニットとして配列（アレイ）した太陽電池である。レンズやミラーやプリズムの位置や角度は、固定式も可能だが、必要なら、レンズやミラーやプリズムの位置や角度を、MEMS技術を用いて、行い、適宜な光が、適宜な位置（や角度）に（ある適宜な受光素子に）届くようにして、太陽電池で発電する。 Type VI）吉野一虎宇宙世界皇帝のピュア・レンズ・プリズム・グレーディエント・インデックス・ソーラー・バッテリーやピュア・ミラー・プリズム・グレーディエント・インデックス・ソーラー・バッテリーを用いることも可能である。ピュア・プリズム・グレーディエント・インデックス・ソーラー・バッテリーやピュア・ミラー・プリズム・グレーディエント・インデックス・ソーラー・バッテリーは、Type Vを、進化させて、より純度の高い太陽電池受光素子を用いる。例えば、分かりやすく表現的には、インジウムガリウムリン（青）、ガリウムヒ素（緑）、インジウムガリウムヒ素（赤）だが、実際には、インジウムガリウムリン（250nm~700nmぐらいの青から赤の可視光線領域）、ガリウムヒ素（700nm~900nmぐらいの赤から赤外線領域）、インジウムガリウムヒ素（900nm~1300nmぐらいの赤外線から遠赤外線領域）である。発電効率が４０％〜５０％ぐらいであるが、純度を向上させると、８０％〜１００％ぐらいに近づけることが、可能である。（光電効果や、光子からの電子の獲得エネルギー：E=hv-Eth） Ee＝ｈνーEth （若しくは、エレクトロン、フリーエネルギーなど） における、受光素子の純度の向上によって反応面積（体積）が増えて、Eeへの変換がより進み、発電効率が向上するからである。 また、光子を量子井戸（クウォンタム・ウェル）等に、封じ込めて（トラップして）、確実に電子に、光子のエネルギーが伝達するようにしても良い。 また、中間層（クウォンタム・ステップ）を用いて、光子のエネルギーによって、電子がより効率良く、エネルギーをステップアップする（エレクトロン・エネルギー・エキサイト・���テートに上がって行く）（電子が、より効率良くエネルギーアップして行く）(クウォンタム・リープする)ようにしても良い。 同時に、III-V族化合物等（InGaAsPなど）の素材（の濃度調整）や、それらの適宜な組み合わせにより、200nm~2000nm全域をカバーするような発電素子にしても良い。 Yoshino UniverseKazutora Yoshino Universe EmpireKazutora Yoshino Emperor's (Lens/Mirror) Prism Gradient Solar BatteryKazutora Yoshino Emperor's Quantum Excitement + Quantum Leap, SolarBatteryLovely,
【図８０】図８０は、エコロジー・エネルギー・システム（・アプリケーション）(集光型太陽光発電システム（３E・総合・システム）：（ミニチュア）メガ・ソーラー)のイメージ概念図である。Yoshino UniverseKazutora Yoshino Universe EmpireKazutora Yoshino Emperor's General Energy Generator SystemLovely, 本発明は、太陽光、風力、水力、地熱、などで得たエネルギーで、水等の液体や気体を熱して（温めて）、お湯や水蒸気（スチーム）を作り、保温効果の高い魔法瓶のような容器（タンク）に、（一時的に）保温保存（エネルギー保存）するなどして、適宜な時に、フロン化液体（やガス）等を用いて、（熱などの）エネルギーを取り出して、発電しても良い。魔法瓶によって、バッテリーの使用容量を軽減することが可能になり、太陽光等、比較的に大電力を得た時、一気に（熱に）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。
【図８１】図８１は、エコロジー・エネルギー・システム（・アプリケーション）(集光型太陽光発電システム（３Eシステム）：ダブル発電システム)のイメージ概念図である。Yoshino UniverseKazutora Yoshino Universe EmpireKazutora Yoshino Emperor's General Energy Generator System (Double EnergySystem)I. YoshinoAdvancedEnergy(KrystalHikariYoshinoQueen)II. KazutoraYoshinoUniverseEnergy(AshleyAyameYoshinoQueen)III.+III' KazutoraYoshinoUniverseEnergy(RebeccaHaruYoshinoQueen)Lovely, 本発明は、太陽光、風力、水力、地熱、ガス、石油などで得たエネルギーで、水等の液体や気体を熱して（温めて）、お湯や水蒸気（スチーム）を作り、保温効果の高い魔法瓶のような圧力容器（圧力タンク）に、（一時的に）圧力保存・保温保存（エネルギー保存）するなどして、適宜な時に、お湯（水）を逆流させて、発電しても良い。本発明のシステムは、スチーム発電と逆流発電が可能なので、ダブル発電システムと言える。又、オプションとして、適宜な時に、フロン化液体（やガス）等を用いて、（熱などの）エネルギーを取り出して、発電しても良い。魔法瓶によって、バッテリーの使用容量を軽減することが可能になり、太陽光等、比較的に大電力を得た時、一気に（熱に）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。 （０）原水を水タンクに、注入（補給）する。（１）太陽光を当てる、火を付けるなどして、水タンクの原水を沸騰させて、スチームを作る。スチーム発電をする。浄水を作り、圧力タンクに保存する。（２）太陽光が当たらなくなる、火を消すなどして、圧力タンクの浄水を、水タンクに、逆流させる。逆流発電をする。浄水を飲料水として、送り出す。 本発明は、熱や圧力を無駄にしないで、効率の良い（ダブル）発電を行う（ことを特徴とした）発電システムである。
【図８２】図８２は、エコロジー・エネルギー・システム（・アプリケーション）(集光型太陽光発電システム（３Eシステム）：金属／半導体（ダブル）発電システム)のイメージ概念図である。Yoshino UniverseKazutora Yoshino Universe EmpireKazutora Yoshino Emperor's General Energy Generator System(Metal/Semiconductor(Double) Energy System)I. YoshinoAdvancedEnergy(KrystalHikariYoshinoQueen)II. KazutoraYoshinoUniverseEnergy(AshleyAyameYoshinoQueen)III.+III' KazutoraYoshinoUniverseEnergy(RebeccaHaruYoshinoQueen)Lovely, 本発明は、太陽光、風力、水力、地熱、ガス、石油などで得たエネルギーで、最初（片方）の金属（鉄、金、銀、銅、アルミ、シリコン、等）（のプレートやワイヤー）や半導体（シリコン型半導体、P型半導体、N型半導体等）を熱して（温めて）、（自由）電子（ΔQ=Q1−Q2＝Sigma(i)[hνi]なら、ΔE=ΔQ−Eth＝Sigma(j)[hνej]、とか、例えば、量子力学的に、（自由）電子（基底ステート→エキサイトステート）等）を作り、次（他方）の片方の金属（鉄、金、銀、銅、アルミ、シリコン、等）（のプレートやワイヤー）や半導体（シリコン型半導体、P型半導体、N型半導体等）に、（自由）電子を移動させて、（両方の）金属（のプレートやワイヤー）や半導体の間に、電気（電圧（起電力、起電圧）、電流）を作る。オプションとして、光（熱）吸収力の高い捕熱剤とか保温効果の高い保熱剤を、（一時的に）クーロン力・圧力保存・クーロン場エネルギー保存するなどして、適宜な時に、（自由）電子を逆流させて、発電しても良い。本発明のシステムは、（自由）電子発電と（自由）電子逆流発電が可能なので、（自由）電子ダブル発電システムと言える。又、オプションとして、正方向の電流だけ用いて、エネルギーを取り出して、発電しても良い。（自由）電子の保存を、キャパシター（コンデンサー）によって、行っても、バッテリーによって行っても良い。太陽光のエネルギー等、比較的に大電力を得た時、一気に（エネルギー、電気にして）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。 （０）（自由）電子を保有する金属（Ethが高くない方が良い）を用意する。        若しくは、（自由）電子を、最初（片方の）シリコンに注入（補給）する。（自由）電子を、次（他方の）シリコンから取り出す。（つまり、P型（／N型）半導体と、N型（／P型）半導体を、作る。）（１）太陽光を当てる、火を付けるなどして、最初（片方）の半導体（（自由）電子余りの半導体）を加熱して、次（他方）の半導体（（自由）電子不足の半導体）に、（自由）電子を移動して、電気（電圧（起電力、起電圧）、電流）を作る。（自由）電子の移動によって発電をする。（自由）電子を、キャパシター（コンデンサー）やバッテリーに保存する（／保存しても良い）。（２）太陽光が当たらなくなる、火を消すなどして、キャパシター（コンデンサー）やバッテリーの（自由）電子を、次（他方）の金属（プレート／ワイヤー）や半導体から、最初（片方の）金属（プレート／ワイヤー）や半導体から、逆流させる。逆流発電をする。若しくは、キャパシター（コンデ��サー）やバッテリーに保存された（自由）電子を、用いても（活用して電気にしても）良い。
【図８３】図８３は、エコロジー・エネルギー・システム（・アプリケーション）(集光型太陽光発電システム（３Eシステム）：半導体発電システム、CIGS)のイメージ概念図である。Yoshino UniverseKazutora Yoshino Universe EmpireKazutora Yoshino Emperor's Solar Energy Generator System (Semiconductor CIGSSolar Battery (Panel) System)Lovely, 本発明は、太陽光を波長が５５０ｎｍぐらいになるように、波長の光変換素子（黄緑色のガラス、等）を、太陽光と、太陽電池パネルの間に、挿入しているシステムである。 本発明は、オプションとして、太陽光を集光して、太陽光の全波長を、CIGS系（ホンダ）の太陽電池パネルが最も発電効率の良い（約１００％の発電効率である）５５０ｎｍ（黄緑色）ぐらいになるように変換して（黄緑色のガラス、等を用いて、光変換する、若しくは、太陽光をレーザーチューブに照射して、グリーン・レーザー光に光を変換して）、CIGS系（ホンダ）の太陽電池パネルに、照射する。（CIGS=銅、インジウム、ガリウム、セレンの半導体の太陽電池パネル）。本発明のシステムは、発電効率が、１００％ぐらいにまでなるので、一石二鳥（一挙両得）なシステムであり、方法である。 （太陽）光を集光して、１０００倍から、１００００倍に濃縮した（太陽）光を、CIGS系半導体に、照射しても、冷却するれば、CIGS系は、ある程度良い特性を示す。 基本裏側から冷却するが、CIGS系は、熱にも強いので、日射量が程々の時（曇りの日等）は、冷却の必要があるとは、限らない。 又、宇宙太陽光発電システム（USES）の人工衛星から、レーザー（ビーム）光を受光（受信）して、そのエネルギーを（濃縮して）、半導体系（インジウム系（III-V系、CIGS系、等）、等）の太陽光電池パネルで、発電しても良い。
【図８４】図８４は、エコロジー・エネルギー・システム（・アプリケーション）(集光型太陽光発電システム（３Eシステム）：半導体発電システム、CIGS)のイメージ概念図である。Yoshino UniverseKazutora Yoshino Universe EmpireKazutora Yoshino Emperor's Solar Energy Generator System (Semiconductor(CIGS or III-V) Solar Battery (Panel) System)Lovely,本発明は、太陽光を反射鏡で、反射させて、集光させて、半導体(CIGSやIII-V族化合物)太陽電池で、発電するシステムである。
【図８５】図８５は、エコロジー・エネルギー・システム（・アプリケーション）(バイオマス発電システムと火力発電システム)のイメージ概念図である。Yoshino UniverseKazutora Yoshino Universe EmpireKazutora Yoshino Emperor's Solar Energy Generator System (Biomass ＋ oil(gas) System)Lovely, 吉野一虎宇宙世界皇帝のバイオマス発電システムの試作機である。 本発明は、バイオマスで、火を焚き、若しくは、石油／石炭／ガス／天然ガス／水素＋酸素で、火を焚き、若しくは、その両方で、水（フロン化液体、等）を沸かし、スチーム（蒸気）を作って、タービンを回転して、ダイナモ・モーターを回転にして、発電する。 バイオマスは、麦わら、稲わら、木の葉、芋の皮、竹、等で良い。バイオマスの困難な所は、バイオマスの回収に費用が掛ることであるが、例えば、幾つかある小さな公園を纏めて、大きな公園にするとかして、木の葉を集めやすくして、大きな公園（の中心や隅や隣）に、バイオマス（火力）発電所を作り、運搬についてのコストパフォーマンスを良くする（公園、庭などの植木の手入れ、害虫駆除などの際にも、バイオマスは、出るので、バイオマス（小枝、葉、害虫、等）を、燃やして（問題）解決する）。又、季節によって、バイオマスの量が変動することがあり得るので、石油／石炭／ガス／天然ガス／水素＋酸素を燃やす火力発電所を、出力が安定させるために、並立させるのが良い（コンピューターなどで、比率等を、（常に／定期的に）制御しても良い）。また、吉野カズトラ宇宙世界皇帝の指揮の元に、吉野国際政府や日本政府は、環境条例、エネルギー法、等を定めて、（庭の（木の）手入れをする際に出る）小枝、麦わら、稲わら、木の葉（落ち葉）、芋の皮、雑草、使った油、などのバイオマスを、週か月に一度ぐらいの割合で、世界中や日本中から、回収して、バイオマス発電所で、燃やして、水（やフロン化液体、等）を沸かして、タービンを回転して、ダイナモ・モーターを回転して、発電する。
【図８６】図８６は、エコロジー・エネルギー・システム（・アプリケーション）(（太陽光、風力）バイオマス発電システムと火力発電システム)のイメージ概念図である。Yoshino UniverseKazutora Yoshino Universe EmpireKazutora Yoshino Emperor's (Mini) Solar Energy Biomass Thermo ElectricityGenerator (System)Lovely, 吉野一虎宇宙世界皇帝の（太陽光、風力）バイオマス火力発電システム（メイン本発明）である。 本発明は、ミニチュアの海底火山とメタノピュルス・カンドレリのようなメタン菌によって、メタンを製造することを特徴としたシステムである。 本発明は、燃料（石油、ガス、天然ガス、メタン、等）と酸素によって、エンジンを回転して、（オプションとして、ギヤを介して）、発電機（ダイナモ・モーター）を回転して、発電する。太陽光発電や、風力発電や、燃料電池によって得た電気によって、水を電気分解して、水素と酸素を作る。酸素を、エンジンに、送る。水素を、水槽（ウォーター・タンク）にある、水（海水、等）に、（オプションとして、水素フィルターを通して）入れる（溶かす）。エンジンから排出された、二酸化炭素と水を、水槽（ウォーター・タンク）にある、水（海水、等）に、（オプションとして、二酸化炭素フィルターを通して）入れる（溶かす）。エンジンの排熱を用いて、水槽（ウォーター・タンク）にある、水（海水、等）を、温める。（エンジンの代わりに、燃料電池でも良い。）水槽（ウォーター・タンク）にある、水（海水、等）には、（オプションとしてメタン菌育成（増殖）ハウスに）、メタン菌（例えば、メタノピュルス・カンドレリ（嫌気性の超好熱メタン菌）、等）が育成（増殖）されている。メタン菌は、水素と二酸化炭素から、メタンを製造する。メタンをメタンタンクに貯蔵する。（メタン菌は、嫌気性であることが多いので、（システムを）密封しても大丈夫である。）製造された、メタンは、エンジンを回転することに、用いても良い。（メタンを用いて、燃料電池で、発電しても良い。）燃料やガス（気体）などの通り道である管（チューブ）には、オプションとして、バルブやポンプを付けて、最適化やシステム管理に、コンピューター制御をしても良い。（メタン菌の育成（増殖）条件に、合うように、（海）水温、pH、塩濃度、等を管理しても良い。） システムを、船に、積んで、エンジンを海での航行などに、用いても良い。エンジンは、航行（走行）用に、風を作る、プロペラに、用いても良い。プロペラは、（オプションとして、ギヤを介して、）ダイナモ・モーターに繋げて、風力発電用に、用いても良い。 メタノピュルス・カンドレリの増殖条件（AV19株）：              生育温度：  ８４−１１０℃  （至適９８℃）              育成最適：  pH５．５−７（至適６．５）              育成NaCl濃度：  ０．２−４％  （至適塩濃度２％）
【図８７】図８７は、エコロジー・エネルギー・システム（・アプリケーション）(バイオマス発電システムと吉野カズトラ庭園防衛システム)のイメージ概念図である。Yoshino UniverseKazutora Yoshino Universe EmpireKazutora Yoshino Emperor's DOD vs bugsLovely,吉野一虎庭園の防衛：吉野一虎宇宙世界皇帝の庭園を、守るために、害虫を駆除して殺虫するシステム（と方法）である。コンピューター、カメラ、ロボット（人工知能）などで、空・（海）水・陸からの、害虫の侵入を検知（モニター）して、羽虫、アブラムシ、あり侵入があり次第、レーザーキャノン、スチームキャノン、スプレイロボットアームハンド、超音波撃墜システム、はさみ、ガス（火）棒、などで、害虫を駆除して殺虫する。害虫の卵などがある小枝や葉、集めた木の葉（落ち葉）、等は、バイオマスとして、スチームキャノンなどで、燃やして焼き、スチームの圧力で害虫駆除殺虫弾を発射するのに用いたり、害虫迎撃ミサイル（弾）の発射に用いたり、バイオマス発電に用いたりしても良い。木（梅の木やリンゴの木）の周りには、砂を敷き、対害虫用の地雷を置いたり、蟻地獄を飼ったりする。又、蜘蛛（地蜘蛛なども可能）を飼って、害虫を駆除したり殺虫するのに、用いても良い。木の周りには、防虫剤（防虫フィルム）などを、置いたりして、害虫が、地面から登ってこれないようにする。レーザービーム照射、太陽光（レンズやパラボラ鏡による太陽光の集光）照射、火炎放射機、ガスライター、化学兵器、TNT、ダイナマイト、農薬散布、ミサイルなどの火器によって、害虫を駆除したり、焼き殺したりするのも、効果的である。ちなみに、木の葉などを焼く際には、ついでに、料理（例えば、椎茸スープ作り、など）などすると、美味しく、食事ができる可能性もある。ちなみに、イナゴや蟻を（タンパク質源として）食用にする国民もいるということである。暴力団を排除するシステム、犯罪を排除するシステム、テロリストを排除するシステム、国家からの不正を排除するシステムにも、応用が可能である。
【図８８】図８８は、エコロジー・エネルギー・システム（・アプリケーション）(ホーリーデックと四つ葉のクローバー)のイメージ概念図である。Yoshino UniverseKazutora Yoshino Universe EmpireKazutora Yoshino Emperor's YoshinoAdvancedEnergy HollyDeck (Transformer) +FourMirrors(Clover)Lovely, 吉野一虎宇宙世界皇帝のヨシノアドバンスドエナジーのホーリーデック(トランスフォーマー)と四枚鏡（四つ葉のクローバー）である。 アルミ反射鏡や鏡を集光に用いる。パラボラのような形にして、集光した光を集光して、数段階で集光して行く。例えば、約２ｍｘ２ｍぐらいのパラボラ形のような反射鏡で太陽光を集光して、６０ｃｍｘ９０ｃｍぐらいのパラボラ形の反射鏡に、当てて、反射した光を４０ｃｍｘ９０ｃｍぐらいのパラボラ形の反射鏡に当てて、集光する。例えば、ビンに入れた水が、２０〜３０分ぐらいで、５５℃〜７０℃ぐらに、温まった。 四枚の鏡を折りたたみ式にして広げると、集光型のコンパクトミラーになる。化粧用にも用いることが可能なので、商品として、「コンパクトで持ち運びが便利な『小型鏡』」としても、販売することが可能である。 ヨシノアドバンスドエナジーのホーリーデック(トランスフォーマー)と四枚鏡（四つ葉のクローバー）は、サンタンローションと共に用いれば、コンパクトでコンビニエントな家庭用日焼けサロンとしても有用である。
【図８９】図８９は、エコロジー・エネルギー・システム（・アプリケーション）(吉野一虎宇宙世界皇帝の太陽光発電システム(レンズ型))のイメージ概念図である。Yoshino UniverseKazutora Yoshino Universe EmpireKazutora Yoshino Emperor's Solar Energy Generator System (Lens)Lovely, 吉野一虎宇宙世界皇帝の太陽光発電システム(レンズ型)が、示されている。レンズは、一般的なレンズや、フルネルレンズを用いても良い。 ここに、一般的なレンズの、一般式が、示されている。本発明を製作する際のポイントは、ｎ＝１．５、（ｄ＝１ｍｍ〜１ｃｍ〜１０ｃｍぐらい）、（ｈ＝１ｍｍ〜１ｃｍ〜１０ｃｍ）、｜ｒ１｜＝｜ｒ２｜なら、｜ｒ１｜＝｜ｒ２｜＝fo  であるということを暗算的に、若しくは、エクセルで、計算出来るので、太陽光発電システム（レンズ型）で、焦点までの距離に合う適宜なレンズを作りやすいということである。
【図９０】図９０は、エコロジー・エネルギー・システム（・アプリケーション）(ホーリーデックと四つ葉のクローバー)のイメージ概念図である。Yoshino UniverseKazutora Yoshino Universe EmpireKazutora Yoshino Emperor's YoshinoAdvancedEnergy Large Parabola MirrorManufacture MethodLovely, 本発明のポイントの一つは、コストパフォーマンス良く、集光をして、発電をするシステムを作ることである。このため、コストパフォーマンス良く、反射鏡やレンズを作ることが重要になる。特に、パラボラ鏡を、コストパフォーマンス良く作るのは、重要である。吉野一虎宇宙世界皇帝は、YoshinoAdvancedSystemによるパラボラミラー鏡の製造方法に至った。（例えば、空気で膨らませるような風船のような）丸い球を基に、石粉／コンクリート／陶器（の粘土）／プラスチックなどで、凹型のベースを作る。（凹型のベースをそのままにしても、焼いても良くて）、凹型のベースに、アルミ箔を貼る。若しくは、凹型のベースにアルミ箔や（柔らかくて薄い）プラスチックフィルムを被せて、凸型を作る。凹型、凸型は、どちらが上下でも良い。（箱等にコンクリート等を入れて、上から凹型をかぶせる方法、若しくは、凹型をベースに、箱等にコンクリート等を入れて、上から凸型をかぶせる方法のどちらも可能である。）凸型に、アルミ箔を敷き、枠にアルミを被せて、合わせて、石粉／コンクリート／陶器（の粘土）／プラスチックなどを注入して、固める。パラボラミラー今日が出来る。オプションとして、炉で、ベースを焼いたり、アルミを溶かしたりして、より滑らかな表面にしても良い。又、オプションとして、研磨して、光沢のある輝きのある表面のアルミミラー鏡を製作・製造しても良い。
【図９１】図９１は、エコロジー・エネルギー・システム（・アプリケーション）(吉野一虎宇宙世界皇帝のエネルギー燃料)のイメージ概念図である。Yoshino UniverseKazutora Yoshino Universe EmpireKazutora Yoshino Emperor's Energy Fuel MapLovely,吉野一虎宇宙世界皇帝による良いエネルギー燃料の条件 １  大量にある。２  自然に存在する。３  エネルギー密度が高い。４  エネルギーの回収が直に出来る。５  発電設備が直に作れる。６  安全である。７  運搬しやすい。（８  元の価格があまりかからない。物理的な要因と言うより、市場によって異なるので、ここでは、エキストラポイント） ７点満点で優秀なエネルギー燃料は、石油、天然ガス、石炭である。６点は、原子力エネルギーと海流（エネルギー）である。 ５点は、太陽光、風力、バイオマス、水素である。
【図９２】図９２は、エコロジー・エネルギー・システム（・アプリケーション）(吉野一虎宇宙世界皇帝のヨシノカズトラミラーと太陽光発電システム)のイメージ概念図である。Yoshino UniverseKazutora Yoshino Universe EmpireKazutora Yoshino Emperor's KazutoraYoshinoMirror(SolarEnergyGeneratorSystem)Lovely, 太陽光のエネルギー密度があまり高くないという弱点を克服した太陽光発電システムが、ヨシノカズトラミラー太陽光発電システムである。 レンズを輪切りにして平たくしたのをフルネルレンズという。 パラボラ鏡を輪切りにして平たくしたのをヨシノカズトラミラーという。 例えば、ヨシノカズトラミラーの製造方法は、光を反射させて焦点に集光する（適宜な）角度に計算されたギザギザのリング状の表面に、アルミを貼っても良い、若しくは、アルミを蒸着させても良い。 ヨシノカズトラミラーは、大量生産するなら、コストパフォーマンス良く大面積のヨシノカズトラミラーであっても製造することが、可能である。 太陽光（熱（電））発電設備（システム）に用いると、より効果が高い。つまり、ヨシノカズトラミラー（パネル）で、太陽光を反射させて、集光して、集光部（太陽光パネル（太陽電池、熱電発電、等）、ブラックボックス（水などの液体やガスをスチームにしてタービン、ダイナモ・モーターを回転して発電する））で、光（熱）を受光して、発電する。 太陽光の運搬のしやすさの改善：太陽光の運搬については、宇宙太陽光発電によるレーザービームによって克服する、また、バッテリーへの貯蓄（電力、電気、電子）や水素への変換によって克服することも可能である。（５点の太陽光（熱）エネルギー、５点の水素を合わせると、平均５点ではなく、シナジー効果で、７点〜１０点になる。）これが、吉野一虎宇宙世界皇帝の太陽光エネルギー発電システム（エコロジー・システム（・アプリケーション））の本当の力なのである。 本発明によって、太陽光（エネルギー）と水素の組み合わせが、エネルギー燃料として、優秀な石油レベルを超える、７点〜１０点を得ることができるのである。 ここでのポイントは、石油は、１００年ぐらいで枯渇化する可能性があるが、太陽光（太陽光のような恒星）は、１００億年ぐらい枯渇化しない可能性があるので、人類にとっては、太陽光は、半永久的なエネルギー源である。 本発明のヨシノカズトラミラーを用いている太陽光（熱（電））発電設備（システム）は、自然界に存在する永続性に大量の安全な太陽光を集光することによってエネルギー密度を高くするヨシノカズトラプラスアルファな太陽光発電設備（システム）であり、合理的であり、コストパフォーマンスが良く、製造・設置が直に出来るシステムである。
【図９３】図９３は、エコロジー・エネルギー・システム（・アプリケーション）(吉野一虎宇宙世界皇帝のヨシノカズトラのゆで卵製造設備（ボイルドエッグメイカ―）太陽光熱ボイリングシステム)のイメージ概念図である。Yoshino UniverseKazutora Yoshino Universe EmpireKazutora Yoshino Emperor's KazutoraYoshinoBoilingEggSystem(SolarEnergyGeneratorSystem)Lovely,吉野一虎宇宙世界皇帝のヨシノカズトラのゆで卵製造設備（ボイルドエッグメイカ―）太陽光熱ボイリングシステムは、卵を水（お湯）（容器）に入れて、アルミ反射鏡などで太陽光を集めて、水を沸かすなど（沸騰した水、スチームで、タービンとダイナモ・モーターを回転して発電をしても良い、又、同時に、水を浄水して飲料水を作っても良い）して、ゆで卵を作る装置（デバイス）・設備（システム）である。吉野一虎宇宙世界皇帝の目的の一つは、（YoshinoAdvancedSystemを用いて）世界中に世界中のゆで卵を販売して、十分な利益を得ることである。卵を運搬するのも、卵をゆでて運搬するのも、費用は同じぐらいなので、養鶏場の中か近くに、ヨシノカズトラのゆで卵製造設備（ボイルドエッグメイカ―）太陽光熱ボイリングシステムを設置すれば、十分な利益を見込める。ビジネス理論的には、一日、約１．７兆円の利益になる。（仮に、養鶏場で作られた生卵等にサルモネラ菌などいるなら、販売の事前に熱処理できるので、ゆで卵（の製造）は、健康衛生安全面での向上にもなる効果がある。）特に、卵サンドイッチ（マヨネーズ）などの製品を作ると、美味しくサンドイッチを食べれて、加工食品として付加価値がよりついて、合理的なビジネスになり得る。
【図９４】図９４は、エコロジー・エネルギー・システム（・アプリケーション）(吉野一虎宇宙世界皇帝のヨシノカズトラのゆで卵製造設備（ボイルドエッグメイカ―）太陽光熱ボイリングシステム)のイメージ概念図である。Yoshino UniverseKazutora Yoshino Universe EmpireKazutora Yoshino Emperor's KazutoraYoshinoBoilingEggSystem(SolarEnergyGeneratorSystem)Lovely,吉野一虎宇宙世界皇帝のヨシノカズトラのゆで卵製造設備（ボイルドエッグメイカ―）太陽光熱ボイリングシステムは、卵を水（お湯）（容器）に入れて、アルミ反射鏡などで太陽光を集めて、水を沸かすなど（沸騰した水、スチームで、タービンとダイナモ・モーターを回転して発電をしても良い、又、同時に、水を浄水して飲料水を作っても良い）する（オプション）、と同時に、オプションとして、石油コンロ、バイオマスコンロ、ガスコンロなどで、火を焚いて水を沸かすなど（沸騰した水、スチームで、タービンとダイナモ・モーターを回転して発電をしても良い、又、同時に、水を浄水して飲料水を作っても良い）する、ゆで卵を作る装置（デバイス）・設備（システム）である。吉野一虎宇宙世界皇帝の目的の一つは、（YoshinoAdvancedSystemを用いて）世界中に世界中のゆで卵を販売して、十分な利益を得ることである。卵を運搬するのも、卵をゆでて運搬するのも、費用は同じぐらいなので、養鶏場の中か近くに、ヨシノカズトラのゆで卵製造設備（ボイルドエッグメイカ―）太陽光熱ボイリングシステムを設置すれば、十分な利益を見込める。ゆで卵（の製造）は、健康衛生安全面での向上にもなる効果がある。特に、卵サンドイッチ（マヨネーズ）などの製品を作ると、美味しくサンドイッチを食べれて、加工食品として付加価値がよりついて、合理的なビジネスになり得る。
【図９５】図９５は、エコロジー・エネルギー・システム（・アプリケーション）(吉野一虎宇宙世界皇帝のヨシノカズトラのアルミ反射鏡パラボラ・卵型（卵の温め、焼き芋の保温等）)のイメージ概念図である。Yoshino UniverseKazutora Yoshino Universe EmpireKazutora Yoshino Emperor's KazutoraYoshinoParabolaMirrorSystemLovely, 吉野一虎宇宙世界皇帝のヨシノカズトラのパラボラーミラーシステム。アルミの箔を、パラボラ型のベースに貼る。ベースは、金属やガラスやカーボンファイバーやFRPやプラスチックやウレタン樹脂やポリエステル樹脂で固い方が良いが、コストパフォーマンスは、プラスチックやテープ素材のような薄くて有る程度なら柔らかくても良い。（風船のような）球に、アルミ箔を載せて、ボンドやテープで固めて、形作っても良い。パラボラ型のベースに、アルミを蒸着させても良い。日が強い日と時間（午後12：00頃）なら、卵の温め、焼き芋の保温等が可能。YoshinoAdvancedEnergyのアルミ反射鏡（パラボラ型、卵型、等）により、コストパフォーマンス良く、太陽光を効率よく集光することが可能である。
【図９６】図９６は、エコロジー・エネルギー・システム（・アプリケーション）(吉野一虎宇宙世界皇帝のヨシノカズトラのアルミ反射鏡屏風型（日光浴、日焼け用、写真用の反射鏡、保温（料理）用、等）)のイメージ概念図である。Yoshino UniverseKazutora Yoshino Universe EmpireKazutora Yoshino Emperor's KazutoraYoshinoPlateMirrorSystemLovely,吉野一虎宇宙世界皇帝のヨシノカズトラのプレートミラーシステム。アルミの箔を、平面の（平らな）ベースに貼る。ベースは、パネル（木や金属やガラスやカーボンファイバーやFRPやプラスチックやウレタン樹脂やポリエステル樹脂）で構成されている。パネルは、蝶番等で、留めて、適宜な角度を作れるようにしても良い。パネル数は、２枚以上の複数（のモジュール）であるのが好ましい。平面の型のベースに、アルミを蒸着させても良い。日が強い日と時間（午後12：00頃）なら、日焼けなどするのにちょうどよい。等が可能。YoshinoAdvancedEnergyのアルミ反射鏡（屏風型、パラボラ型、等）により、コストパフォーマンス良く、太陽光を集光する（倍増・増幅する）ことが可能である。
【図９７】図９７は、エコロジー・エネルギー・システム（・アプリケーション）(吉野一虎宇宙世界皇帝のヨシノカズトラの反射鏡集光型太陽光発電システムと集水型浄水システム)のイメージ概念図である。Yoshino Universe Kazutora Yoshino Universe Empire Kazutora Yoshino Emperor's Smart System +Living House (Light Water System) Lovely, 吉野一虎宇宙世界皇帝のヨシノカズトラの反射鏡集光型太陽光発電システムと集水型浄水システムである。吉野カズトラ皇帝は、（（平面／曲面）ミラー／アルミ、等：折りたたみ型、屏風型、角度型、パラボラ型などの）反射鏡を用いて、集光型太陽光（熱）発電システムを作り、同時に、反射鏡を用いて、雨水を収集して、貯水槽に貯めて、太陽光発電システムで獲得したエネルギーの一部を用いて、浄水した。太陽光発電や雨水収集の際、反射鏡の角度を適宜に調整するのが重要である。 吉野一虎宇宙世界皇帝のは、人工知能などを用いて、自主的に生きる家とスマートシステムを構築していたのである。（太陽光パネル＋バッテリー＋エコキュート＋インバーター、等のホーム・ネットワーク） 吉野一虎宇宙世界皇帝が一人で生きるなら、必要なのは、２００Ｗの太陽光パネル（太陽電池、熱電発電パネル、など）が屋根などに２０枚あれが、４ｋＷになるので、１日に平均３時間の直射日光が当たれば、約１２．６ＭＪ（＝約３０００ｋcal）の発電になるので、砂糖製造システム、食糧製造システムなどによって、人工的に、砂糖や食べ物を作り、一日ごとの摂取量にすることができる。（約１ｋｇの木材を燃焼させて発電すると、約１２．６ＭJぐらいになる。）（２００ｋＷの太陽光発電システムを作ることが出来るなら、所帯を持ち家族で生活することが出来る。）又、一日に３Ｌの水を、摂取するなら、雨水を貯めて、熱して沸騰させて、飲料水にする、若しくは、水蒸気（スチーム）で、発電して、水蒸気を回収して、飲料水にすることが可能である。１２．６ｍ＾２の屋根に、雨が、１分で１Ｌ降るなら、６０Ｌぐらい以上貯めれば、２０日分以上の水になる。雨水で、シャワーを浴びたり、雨水を沸かして、シャワーやお風呂にしても良い。砂糖製造システム、食糧製造システムも重要である。農園、空中農園、室内農園（ＬＥＤ＋農作物）などで、食物を作ることも可能である。 お風呂に約６０Ｌの水（６００ｃｍ＾３＝６００ｋｇの水）を入れて５０℃にするなら、消費電力は、１２．６ＭＪである。これは、１日に必要な食事の摂取量と、略、同じ量である。一回分お風呂に入るのに、一日分の食事と同じエネルギーが掛るなら、一日分、美味しい食事を食べる方が良いであろう。若し、毎日、顔や髪を洗っても、１週間に一度だけお風呂に入り、その分、美味しい食事を食べたり、再生可能エネルギー・システムの開発に用いたり、浄水して、飲料水を作る方が、未来の発展に繋がる可能性が高い。 又、お風呂に入った後に、お湯が冷める前に、熱量を追加（加算）して、沸騰させて、スチームで発電して、スチームを回収して、飲料水にするなら、一石二鳥である。 また、集光型太陽光発電システムで、エネルギーを水に貯めて、お湯として保存（保熱）しておけば、夜間などでも、発電が可能である。この際、保温されたお湯を用いて、シャワーを浴びたり、お風呂に入り、そのお湯を、太陽光で熱して、スチームを作り、発電して、スチームを回収して、飲料水を作ることも可能である。
【図９８】図９８は、エコロジー・エネルギー・システム（・アプリケーション）(吉野一虎宇宙世界皇帝のヨシノカズトラの太陽光発電システム)のイメージ概念図である。 Yoshino Universe Kazutora Yoshino Universe Empire Kazutora Yoshino Emperor's Solar EnergyGenerator System Lovely, 吉野カズトラ宇宙世界皇帝の太陽光発電システムである。 太陽光パネル（（反射）鏡、太陽電池、熱電発電パネル、等）（やユニット、アレイ、マトリクス、等）の位置や角度を、駆動手段（記憶合金、人工筋肉、電磁石、ソレノイド、モーター（＋ギヤ、クランクギヤ、など）、ネジ型線形モーター、など）によって、調整する。 形状記憶合金は、熱量に相当する伸縮性を示すため、太陽光パネルの出力に対して比較的、少量の熱量で、記憶合金を伸縮することが可能なので、形状記憶合金に掛る熱量に対して、比較的大きめの受光量（出力）を得ることが出来る太陽光パネル（（反射）鏡、太陽電池、熱電発電パネル、等）の位置や角度を調整することが可能である。曲がった形状記憶合金（や記憶マテリアルや記憶プラスチックなど）を伸縮させて、円的や線形的な角度の調整等をしても良い。 太陽光パネル（（反射）鏡、太陽電池、熱電発電パネル、等）の角度（Θとφ）を光の方向（太陽の方向）に合わせて、３Ｄで、（時間的に）調整する（変化させる）のが可能である。 ヒーター等をもちいて、形状記憶合金に、温度に合わせて形状を記憶させて形状記憶合金を作ることが可能である。 最も太陽光が強い時間（１２：００ぐらい）の太陽の位置に合わせて、太陽光パネル（（反射）鏡、太陽電池、熱電発電パネル、等）のディフォールトの位置と角度にするのが、最善の形態である。
【図９９】図９９は、エコロジー・エネルギー・システム（・アプリケーション）(吉野一虎宇宙世界皇帝のヨシノカズトラの反射鏡集光型太陽光発電システムと集水型浄水システム)のイメージ概念図である。 Yoshino Universe Kazutora Yoshino Universe Empire Kazutora Yoshino Emperor's Smart System +Living House (Light Water System) Lovely, 海水、川の水、雨水、井戸水、水道水などの水を、貯水槽に貯め、ポンプで汲み上げて、チューブ管を通して、集光部（黒体）に入れて、集（雨）水用と集光（エネルギー）用などに設置された適宜な角度を有する平面鏡などの鏡で、太陽光を反射して集光した（光）エネルギーで、集光部（黒体）にある水を、温め（熱して）、水蒸気（スチーム）を作り、タービン（＋ギヤ）とダイナモ・モーターを回転して、発電する。水蒸気（スチーム）は、空気で冷却しても良い。水蒸気（スチーム）は、水で冷却しても良い。水蒸気（スチーム）を水で冷却する際、（前記）チューブ管や貯水槽へ水を送るチューブ管などの水で冷却するのも可能である。この際、（前記）チューブ管は、スチームチューブ管に平行であっても、スチーム管の周りを螺旋状に回っていても良い。若しくは、スチームチューブ管が、前記チューブに、平行であっても、スチームチューブ管の周りを螺旋状に回っていても良い。これによって、排熱を利用して水を温めれるので（水が沸騰する準備ができるので）、効率良く、発電できる。
【図１００】図１００は、エコロジー・エネルギー・システム（・アプリケーション）(吉野一虎宇宙世界皇帝の「海の幸」などの食品研究開発：金の茶漬けと大人の茶漬け)のイメージ概念図である。Yoshino Universe Kazutora YoshinoUniverse Empire Kazutora YoshinoEmperor's Food Science Lovely, 吉野カズトラ宇宙世界皇帝の「海の幸」 振り掛け、茶漬け、うどん・蕎麦、牛丼などへの応用が可能。Yoshino Universe YoshinoAdvancedEnergy 吉野カズトラ宇宙世界皇帝の『海の幸』： 商品名：              １．『金の茶漬け』           （高級バージョン）                            ２．大人の（御）茶漬け    （一般バージョン） 飲料水と塩の製造方法： 製造方法１．（オプションとして、濾紙、（砂利層＋砂層）、フィルター、イオン膜などで濾す）→飲料水を製造、塩を製造。 製造方法２．海水（１００ｍｌ）を加熱（加圧）して煮詰める（約３分）。→塩（３ｇ）を製造。→蒸留水→飲料水を製造。 成分：塩（塩化ナトリウム、塩化マグネシウム、・・・、金）等 塩（３ｇ）に、ほんだし（１０ｇ）を混ぜて、海苔、ワカメ、昆布などの「海の幸」などや乾燥卵（ゆで卵を乾燥させた卵を細かくした食材）などを塗す。→  御茶漬などにする。
【図１０１】図１０１は、エコロジー・エネルギー・システム（・アプリケーション）(吉野一虎宇宙世界皇帝の「海の幸」などの食品研究開発：寿司（ウニ製造）)のイメージ概念図である。Yoshino UniverseKazutora YoshinoUniverse EmpireKazutora YoshinoEmperor's Sushi ProjectLovely,吉野カズトラ宇宙世界皇帝は、寿司（ウニ製造）計画を進めていた。海藻（ワカメ、昆布、ヒジキ、等）を飼育して（海水濃度約３％、海水温度約２０℃（〜２５℃））、ウニに食べさせて、ジブロモメタンでウニを成長加速して、ウニを食材として、寿司（や、お茶漬け、振り掛け、等）に用いた。 海水の浄水の際、飲料水（蒸留水）と塩（食塩、人工海水の素）などを作ることも可能であり、食材に用いることも可能であり、再度人工海水を作り、（人工）海水を綺麗に保つことも可能である。 この海藻、ウニなどの人工飼育システムは、海を航行したり停泊する船などに搭載することも可能であり、（家庭などの）庭レベルも可能である。オプションとして、太陽光発電、自然乾燥（空気乾燥）、風力発電、バイオマス発電などを用いることも可能である。
【図１０２】図１０２は、エコロジー・エネルギー・システム（・アプリケーション）(吉野一虎宇宙世界皇帝の食品研究開発：葡萄氷、フローズン・グレープ、アイスの実)のイメージ概念図である。Yoshino UniverseKazutora YoshinoUniverse EmpireKazutora YoshinoEmperor's Fruits Project (Grape Project)Lovely, 吉野カズトラ宇宙世界皇帝は、発電システムと同時に飲食業を発展させて、飲料水（蒸留水、等）を用いて、清涼飲料水を作っていた。ホットレモンやレモンティーやグレープジュースである。直接、葡萄を凍らせたところ、美味しかったので、葡萄のジュースを抽出して、砂糖（グラニュー糖）を添加して、シャーベット状にして、アイスの実を食べたところ、（より）美味しかった。海辺の砂浜（海の家）など、日差しが強い所で、塩分を含む、ジュースやアイスを販売して、熱中症対策をするのは、ある程度なら可能である。休日等に、浜辺等で、うどんなどを食べたり、ジュースを飲んだりして、寛ぐことも、良いのだろう。
【図１０３】図１０３は、エコロジー・エネルギー・システム（・アプリケーション）(吉野一虎宇宙世界皇帝のナノテクノロジー研究開発：人工筋肉)のイメージ概念図である。Yoshino UniverseKazutora YoshinoUniverse EmpireKazutora YoshinoEmperor's Nano Technology ProjectLovely,吉野カズトラ宇宙世界皇帝は、ナノテクノロジーとロボット用人工筋肉の研究開発を進めていた。研究開発を進めるために、最初の頃は、人工筋肉を用いた昆虫型飛行物体などを製作していた。 ヘモグロビンのような強磁性体（鉄などの原子や分子）を有する分子（有機分子など）を、配列（アライン）して、ポリヘモグロビンのような物質（有機物質など）を作る。チューブやシート状にしても良い。強磁場を掛けて、強磁性体のスピンを揃えて、磁気モーメントを揃えて、磁化させて、磁石（有機磁石など）を作る。コイル（有機コイル）などと合わせて、ダイナモ・モーター（有機ダイナモ・モーター）などを作る。ナノやマイクロレベルでのミニチュア発電（風力発電、イオン発電、グレーディエント・プロトン発電）やミニチュアモーター（電気モーター、グレーディエント・プロトン・モーターなど）を用いて、人工筋肉を作る。人工筋肉で、虫（昆虫、甲虫、蜻蛉（トンボ）、など）を作ることも可能である。
【図１０４】図１０４は、エコロジー・エネルギー・システム（・アプリケーション）(吉野一虎宇宙世界皇帝の食品研究開発：焼き塩おにぎり)のイメージ概念図である。Yoshino Universe Kazutora YoshinoUniverse Empire Kazutora YoshinoEmperor's Food Science (Salt Rice Ball) Lovely,吉野カズトラ宇宙世界皇帝の保存食研究開発 吉野カズトラ宇宙世界皇帝は、ご飯を炊いて食べるという行為は、古代において、人々が、海水を沸かして塩を作る際、米を食量を確保するもの（フィラー）として、用いて、保存食を作った、始まり（きっかけ）だった可能性があると思っていた。 焼き塩おにぎり： 海水２Ｌを煮詰める。（約６０ｇの塩）： ・オプション：ご飯（米）、海藻（昆布、ワカメ、ヒジキ、等）、ほんだし、醤油、ガラスープ、みりん、お酒、等を海水に混ぜて、煮詰める。おにぎり形状にして、熱で（ドライ）乾燥させて、保存食にする。 一日に、一人分は、約８ｇの塩。５ｇは、食事等に入っているので、３ｇぐらい直接摂取の必要あり。 ６０ｇの塩で、約２０人分の塩、若しくは、一人分で約２０日分の塩。 焼き塩おにぎりを約２０〜３０分割して、ご飯などに混ぜて、食べることが可能である。 ｐｓ： 熱中症対策には、汗などで、塩分が体外に排出されてしまうので、塩分を含んだ水等を飲んで対策する。 塩分を取りすぎた時は、野菜などカリウムを含む食材を食べて、塩分を体外に排出する。 つまり、日光（日差し）が強く、熱い日は、熱中症対策するなら、海に行き、海水浴をして海水で体を冷やして（濡らすなどして）、体温を適宜に保ち、適宜な量の海水（塩（ミネラル塩））を飲んだりする方が、炎天下の下で、農地に出て野菜を収穫して、（ビタミンや）ミネラルを取るより効果的である。海水浴に行った際、ビタミンＣ（Ｃ１０００）やオロナミンＣ（ビタミンＢ）などのビタミンなどの栄養ドリンクを飲むことも良いのだろう。 吉野カズトラ宇宙世界皇帝は、自らの葡萄庭園の木陰で、葡萄を食べながら（ポリフェノールなどの栄養を取りながら）、久しぶりに、寛んでいた。
【図１０５】図１０５は、エコロジー・エネルギー・システム（・アプリケーション）(吉野一虎宇宙世界皇帝の浄水システム)のイメージ概念図である。Yoshino UniverseKazutora YoshinoUniverse EmpireKazutora YoshinoEmperor's Automatic Water Purify SystemLovely, 吉野カズトラ宇宙世界皇帝は、雨や雪を集めて、浄水するシステムを作っていた。 建物などの屋根などで、雨や雪を集める。（屋根に設置された太陽電池のカバーパネルには、熱線が適宜な幅で敷いてある。これにより、太陽光が、春夏秋冬、一年中、昼間は、多少なりとも太陽光パネルに当たるようにする。）水車（＋発電機）で、発電する。（発電された電気をバッテリーに貯めるなどしても良い。）水（雨水、雪水、滝水、地下水、川水、海水など）を貯める。ポンプで水を汲みだす。水をウォーターフィルターに掛けて、浄水して、飲料水にする。若しくは、水を電気分解して、水素と酸素にして、反応させて、飲料水にする。（オプション、重水素を作る。）飲料水をボトルに注入して、キャップを閉めて、箱に詰めて、出荷・販売する。フォークリフト、車、トラック、船、飛行機などの運搬手段を用いても良い。 p.s.モーター（＋ギヤ）を回転して、ベルトコンベヤーを動かして、ウォーターフィルターを適宜なタイミングで、新しくする。ウォーターフィルターは、円形（筒状）が最適である。円形（筒状）などのウォーターフィルターをリボンに載せて、水が、隣のウォーターフィルターに染み込まないようにしても良い。
【図１０６】図１０６は、エコロジー・エネルギー・システム（・アプリケーション）(吉野一虎宇宙世界皇帝のエネルギーシステムのシンボル・ロゴ)のイメージ概念図である。Yoshino UniverseKazutora Yoshino Universe EmpireKazutora Yoshino Emperor's SDI + ISD + IDS(YoshinoAdvancedEnergy)Lovely, 吉野カズトラ宇宙世界皇帝のＳＤＩとＩＳＤとＩＤＳ(YoshinoAdvancedEnergy) 石油価格の高騰とＩＡＥＡとヨシノアドバンスドエナジーの台頭： 吉野幸男や吉野信法王の頃、第二次世界大戦の頃は、戦争は、約３年ぐらい続くのが普通であった。アメリカ合衆国は、核兵器（原子爆弾や水素爆弾、等）の開発と製造によって、約３カ月〜約３週間で、戦争を終結することが可能になる程の、破壊力を身に付けた。アメリカ合衆国は、ロシアとの冷戦を超えて、約３日の戦闘（７０日のデザート・フォックス、等）で、アメリカの敵国を破壊して、戦争を終結することを身に付けた。（巡航ミサイル＊空母からの１７０の戦闘機による攻撃、等、基礎軍事力も強化していった。）核兵器と原子炉の研究開発が進み、ＩＡＥＡにより、核エネルギーは、原子力発電所や核融合炉として、平和利用されるようになった。そして、吉野カズトラ宇宙世界皇帝のＳＤＩ指導の元に、アメリカ合衆国は、新たな戦争のステージに入っていた。吉野カズトラ宇宙世界皇帝の開発した、高周波（γ波以上）パルスレーザー砲や吉野タイムマシンによって、光速以上で、高次元のレーザー・ネットワーク・アルゴリズムを用いて、軍事衛星などによって、敵の人工衛星を、打ち落とすことが、可能になり、最初の約３秒で、実質的に戦争を終結することが可能になっていた。大陸間弾道ミサイル（ＩＣＢＭ、等）等は、軍事衛星（人工衛星）のＧＰＳやレーダーに強く頼っていたので、軍事衛星が壊滅的になると、実質的に、核兵器などによる戦争の継続が、国として困難になったためである。この頃、アメリカ合衆国に反旗を翻すことが出来る国々やテロ組織は、一般的な国境によって区分されるものではなく、むしろ、意識や石油資本主義などによる曖昧なバンド（結束）によって束ねられる、石油資本の中東の国々やタリバンやアルカイダ（ある怪盗団）等の組織になっていた。アメリカ合衆国は、アフガニスタン、イラク、シリアへと、軍事介入を進めていたが、中東をチェス盤とした、列強の国々（アメリカ、ロシア、欧州、シリア、中国、サウジアラビア、イラク、イラン、トルコ、アラブ、イスラエル、等）のチェスのような石油獲得合戦となっていた。そもそも、２０トリリオンダーラーの資本力の日本と、４０トリリオンダーラーのアメリカ合衆国が、３００トリリオンダーラーのイラクやイラク近郊の国々を攻め落とそうとするのが、現実的ではない（無理が掛っている）のかもしれないが、技術大国（以前は経済大国）の日本をパートナーとして持つアメリカ合衆国は、強気に軍隊のチェス駒をすることが可能になっていた。吉野カズトラ宇宙世界皇帝のグループの軍需産業は、特に、軍事を持って、資源を確保することを、理想とするグループだった。吉野カズトラ宇宙世界皇帝は、平和的な交渉によって、石油や天然資源等の獲得をする方が予算的にも現実的と考えていたのだが、軍需品（軍需産業製品、つまり、兵器等）の需要も重要であることもあり、ある程度の調整が必要であった。つまり、産業の振興に、第一陣として、必要最小限の兵器を用いて、第二陣として、十分大量の一般的商品を用いて、第三陣として、文明や文化や経済や宗教の管理をする戦略であった。この際、投資家が国々に安全に投資を出来るようにしたのが、ＩＳＤであったが、ＴＰＰ等の傘下で、ＩＣＳＩＤなどによるＩＳＤ条項の規定を受けるのは、国としては、やっかいなものでもあった。と、同時に、同時多発テロ等の危険性を考慮して、国民の其々にＳＳＮ等のＩＤＳ（個々のＩＤ）を配布して、国民の其々がテロリスト化しないように、管理するのも重要であった。これだけのことを、国際的にしても、イラクやイラク近郊にある３００トリリオンダーラーという石油の魅力は大きく、国々の介入は止まらず、中東地域全体は、安定化するどころか、火薬庫のようになっていた。中東全体の不安定化と原油価格の高騰が、原油などを用いる企業などの活動や国際社会に影響していた。戦略的なマップを裏で作っていたのが、ＩＡＥＡであり、石油の高騰を導くことにより、原子力エネルギーの使用を促す戦略だったのである。ＩＡＥＡ関連のフリーメイソンやスカルアンドボーンが、アスぺルティーに核爆弾を設置して、３・１１（日本での東北関東大震災）を起こしたという、噂を聞いたことがあるほどである。しかしながら、原子力（特に核融合炉の開発）を促進しながらも、吉野カズトラ宇宙世界皇帝は、ヨシノアドバンスドエナジー（Ｇ）を用いて、吉野ミュージックグループ、吉野アーティストグループ、吉野カズトラエンターテイメントグループ等を作り、エンターテイメント（音楽や歌やダンスや芸術や美）の基に、国際的に広報活動等を進め、吉野カズトラ宇宙世界皇帝や吉野クリスタルヒカリ女王（の活動）を宣伝しながら、平和的に、再生可能エネルギーの開発を進め、太陽光（ＵＳＥＳ、等）や風力やバイオマスや地熱を用いた、エネルギー解決策を、着実に進めていた。吉野カズトラ宇宙世界皇帝は、石油の高騰をむしろ、エコロジーシステム（水素社会）の開発の起爆剤や爆風エネルギーに用いた。吉野カズトラ宇宙世界皇帝は、ＦＲＢやＩＭＦ等を用いて、国際経済の管理や、ＮＩＨ等を用いて、国際医療の管理もしていた。吉野カズトラ宇宙世界皇帝は、自らの先祖の天照大見神を祀る神道を、国際的に展開や発展させて、吉野天照国際神道を新たに開発して、国際的に普及させ、国々を平和に導いた。吉野カズトラ宇宙世界皇帝の後継者となった、吉野クリスタルヒカリ女王、光を持って、国際的な平和を作り、維持管理するために、吉野アシュレーアヤメ女王は、新たな宇宙軍を創設して、吉野レベッカハル女王は、軍事衛星（人工衛星）などによる戦争よりは、むしろ、宇宙要塞や宇宙ロボット（ガンダム等）や宇宙兵器などによる、より強固な宇宙軍事を開発して、宇宙から、世界の平和を見守り、宇宙世界を管理・支配した。・・・続く。
【図１０７】図１０７は、エコロジー・エネルギー・システム・アプリケーション（吉野一虎宇宙世界皇帝のパラボラ・ディッシュ・メーカー）のイメージ概念図である。Yoshino UniverseKazutora Yoshino Universe EmpireKazutora Yoshino Emperor's Solar Energy Generator System (Parabola Dish Maker)Lovely, 太陽光（熱）やヒーター（熱）を利用して、素材（物質（マテリアル）、（プラスチック、セラミック、ガラス、金属（アルミ、鉄、等）））等を溶かして、形あるもの（物）を作る。ヒーター（電気ヒーター、ガスヒーター、等）は、電気、ガス、石油、石油コンロ、発電機、風力発電 機、核融合炉（発電所）、等からの電気エネルギーや（熱）エネルギーで加熱することが可能である。 パラボラの型にアルミ箔（アルミフォイル）等の反射シートを敷いて、溶けたプラスチックやセラミック等の素材を流し込むことによって、パラボラ（ミラー）を作ったりすることが可能である。 メロンパンやネジの頭のような形のパラボラのフレームの型に溶けたプラスチックやセラミック等の素材を流し込みフレームを作り、布やアルミ箔（アルミフォイル）等の反射シートを貼って、パラボラ（ミラー）を作ることが可能である。 折りたたみ傘のようなパラボラ構造で、内側が反射鏡であるようにしても良い。（傘型パラボラ反射鏡（ミラー）） カメラ・レンズのシャッターの型、プロペラのような型に、溶けたプラスチックやセラミック等の素材を流し込み、組み合わせて、パラボラのフレームを作り、反射鏡を貼ったり、プロペラを作ったりすることも可能である。
【図１０８】図１０８は、エコロジー・エネルギー・システム・アプリケーション（吉野一虎宇宙世界皇帝の浄水システム）のイメージ概念図である。Yoshino UniverseKazutora Yoshino Universe EmpireKazutora Yoshino Emperor's Solar Energy Generator System (Water Purifier)Lovely, 太陽光（熱）やヒーター（熱）を利用して、素材（物質（マテリアル）、（水、地下水、海水、食品、卵、等））等を沸かして、浄水や食品を作る。ヒーター（電気ヒーター、ガスヒーター、等）は、電気、ガス、石油、石油コンロ、発電機、風力発電機、核融合炉（発電所）、等からの電気エネルギーや（熱）エネルギーで加熱することが可能である。
【図１０９】図１０９は、エコロジー・エネルギー・システム・アプリケーション（吉野一虎宇宙世界皇帝の（発電）浄水システム）のイメージ概念図である。Yoshino UniverseKazutora Yoshino Universe EmpireKazutora Yoshino Emperor's Power Generator System (Tea Maker)Lovely, 水（水道水、川水、雨水、海水、等）をヒーターで熱してお湯やスチームを作り、発電しながら、フィルターにかけて浄水するシステム。フィルターに葉等を入れて、紅茶や茶やコーヒーやハーブティーを同時に作ることが可能である。小型、中型、大型のシステムが可能である。
【手続補正２】
【補正対象書類名】図面
【補正対象項目名】図２０
【補正方法】変更
【補正の内容】
【図２０】
2013221403.tif 000001
【手続補正３】
【補正対象書類名】図面
【補正対象項目名】図２１
【補正方法】変更
【補正の内容】
【図２１】
2013221403.tif 000002
【手続補正４】
【補正対象書類名】図面
【補正対象項目名】図２２
【補正方法】変更
【補正の内容】
【図２２】
2013221403.tif 000003
【手続補正５】
【補正対象書類名】図面
【補正対象項目名】図２３
【補正方法】変更
【補正の内容】
【図２３】
2013221403.tif 000004
【手続補正６】
【補正対象書類名】図面
【補正対象項目名】図２４
【補正方法】変更
【補正の内容】
【図２４】
2013221403.tif 000005
【手続補正７】
【補正対象書類名】図面
【補正対象項目名】図２５
【補正方法】変更
【補正の内容】
【図２５】
2013221403.tif 000006
【手続補正８】
【補正対象書類名】図面
【補正対象項目名】図２６
【補正方法】変更
【補正の内容】
【図２６】
2013221403.tif 000007
【手続補正９】
【補正対象書類名】図面
【補正対象項目名】図２７
【補正方法】変更
【補正の内容】
【図２７】
2013221403.tif 000008
【手続補正１０】
【補正対象書類名】図面
【補正対象項目名】図２８
【補正方法】変更
【補正の内容】
【図２８】
2013221403.tif 000009
【手続補正１１】
【補正対象書類名】図面
【補正対象項目名】図２９
【補正方法】変更
【補正の内容】
【図２９】
2013221403.tif 000010
【手続補正１２】
【補正対象書類名】図面
【補正対象項目名】図３０
【補正方法】変更
【補正の内容】
【図３０】
2013221403.tif 000011
【手続補正１３】
【補正対象書類名】図面
【補正対象項目名】図３１
【補正方法】変更
【補正の内容】
【図３１】
2013221403.tif 000012
【手続補正１４】
【補正対象書類名】図面
【補正対象項目名】図３２
【補正方法】変更
【補正の内容】
【図３２】
2013221403.tif 000013
【手続補正１５】
【補正対象書類名】図面
【補正対象項目名】図３３
【補正方法】変更
【補正の内容】
【図３３】
2013221403.tif 000014
【手続補正１６】
【補正対象書類名】図面
【補正対象項目名】図１９
【補正方法】変更
【補正の内容】
【図１９】
2013221403.tif 000015
【手続補正１７】
【補正対象書類名】図面
【補正対象項目名】図３４
【補正方法】変更
【補正の内容】
【図３４】
2013221403.tif 000016
【手続補正１８】
【補正対象書類名】図面
【補正対象項目名】図３５
【補正方法】変更
【補正の内容】
【図３５】
2013221403.tif 000017
【手続補正１９】
【補正対象書類名】図面
【補正対象項目名】図３６
【補正方法】変更
【補正の内容】
【図３６】
2013221403.tif 000018
【手続補正２０】
【補正対象書類名】図面
【補正対象項目名】図３７
【補正方法】変更
【補正の内容】
【図３７】
2013221403.tif 000019
【手続補正２１】
【補正対象書類名】図面
【補正対象項目名】図３８
【補正方法】変更
【補正の内容】
【図３８】
2013221403.tif 000020
【手続補正２２】
【補正対象書類名】図面
【補正対象項目名】図３９
【補正方法】変更
【補正の内容】
【図３９】
2013221403.tif 000021
【手続補正２３】
【補正対象書類名】図面
【補正対象項目名】図４０
【補正方法】変更
【補正の内容】
【図４０】
2013221403.tif 000022
【手続補正２４】
【補正対象書類名】図面
【補正対象項目名】図４１
【補正方法】変更
【補正の内容】
【図４１】
2013221403.tif 000023
【手続補正２５】
【補正対象書類名】図面
【補正対象項目名】図４２
【補正方法】変更
【補正の内容】
【図４２】
2013221403.tif 000024
【手続補正２６】
【補正対象書類名】図面
【補正対象項目名】図４３
【補正方法】変更
【補正の内容】
【図４３】
2013221403.tif 000025
【手続補正２７】
【補正対象書類名】図面
【補正対象項目名】図４４
【補正方法】変更
【補正の内容】
【図４４】
2013221403.tif 000026
【手続補正２８】
【補正対象書類名】図面
【補正対象項目名】図４５
【補正方法】変更
【補正の内容】
【図４５】
2013221403.tif 000027
【手続補正２９】
【補正対象書類名】図面
【補正対象項目名】図４６
【補正方法】変更
【補正の内容】
【図４６】
2013221403.tif 000028
【手続補正３０】
【補正対象書類名】図面
【補正対象項目名】図４７
【補正方法】変更
【補正の内容】
【図４７】
2013221403.tif 000029
【手続補正３１】
【補正対象書類名】図面
【補正対象項目名】図４８
【補正方法】変更
【補正の内容】
【図４８】
2013221403.tif 000030
【手続補正３２】
【補正対象書類名】図面
【補正対象項目名】図４９
【補正方法】変更
【補正の内容】
【図４９】
2013221403.tif 000031
【手続補正３３】
【補正対象書類名】図面
【補正対象項目名】図５０
【補正方法】変更
【補正の内容】
【図５０】
2013221403.tif 000032
【手続補正３４】
【補正対象書類名】図面
【補正対象項目名】図５１
【補正方法】変更
【補正の内容】
【図５１】
2013221403.tif 000033
【手続補正３５】
【補正対象書類名】図面
【補正対象項目名】図５２
【補正方法】変更
【補正の内容】
【図５２】
2013221403.tif 000034
【手続補正３６】
【補正対象書類名】図面
【補正対象項目名】図５３
【補正方法】変更
【補正の内容】
【図５３】
2013221403.tif 000035
【手続補正３７】
【補正対象書類名】図面
【補正対象項目名】図５４
【補正方法】変更
【補正の内容】
【図５４】
2013221403.tif 000036
【手続補正３８】
【補正対象書類名】図面
【補正対象項目名】図５５
【補正方法】変更
【補正の内容】
【図５５】
2013221403.tif 000037
【手続補正３９】
【補正対象書類名】図面
【補正対象項目名】図５６
【補正方法】変更
【補正の内容】
【図５６】
2013221403.tif 000038
【手続補正４０】
【補正対象書類名】図面
【補正対象項目名】図５７
【補正方法】変更
【補正の内容】
【図５７】
2013221403.tif 000039
【手続補正４１】
【補正対象書類名】図面
【補正対象項目名】図５８
【補正方法】変更
【補正の内容】
【図５８】
2013221403.tif 000040
【手続補正４２】
【補正対象書類名】図面
【補正対象項目名】図５９
【補正方法】変更
【補正の内容】
【図５９】
2013221403.tif 000041
【手続補正４３】
【補正対象書類名】図面
【補正対象項目名】図６０
【補正方法】変更
【補正の内容】
【図６０】
2013221403.tif 000042
【手続補正４４】
【補正対象書類名】図面
【補正対象項目名】図６１
【補正方法】変更
【補正の内容】
【図６１】
2013221403.tif 000043
【手続補正４５】
【補正対象書類名】図面
【補正対象項目名】図６２
【補正方法】変更
【補正の内容】
【図６２】
2013221403.tif 000044
【手続補正４６】
【補正対象書類名】図面
【補正対象項目名】図６３
【補正方法】変更
【補正の内容】
【図６３】
2013221403.tif 000045
【手続補正４７】
【補正対象書類名】図面
【補正対象項目名】図６４
【補正方法】変更
【補正の内容】
【図６４】
2013221403.tif 000046
【手続補正４８】
【補正対象書類名】図面
【補正対象項目名】図６５
【補正方法】変更
【補正の内容】
【図６５】
2013221403.tif 000047
【手続補正４９】
【補正対象書類名】図面
【補正対象項目名】図６６
【補正方法】変更
【補正の内容】
【図６６】
2013221403.tif 000048
【手続補正５０】
【補正対象書類名】図面
【補正対象項目名】図６７
【補正方法】変更
【補正の内容】
【図６７】
2013221403.tif 000049
【手続補正５１】
【補正対象書類名】図面
【補正対象項目名】図６８
【補正方法】変更
【補正の内容】
【図６８】
2013221403.tif 000050
【手続補正５２】
【補正対象書類名】図面
【補正対象項目名】図６９
【補正方法】変更
【補正の内容】
【図６９】
2013221403.tif 000051
【手続補正５３】
【補正対象書類名】図面
【補正対象項目名】図７０
【補正方法】変更
【補正の内容】
【図７０】
2013221403.tif 000052
【手続補正５４】
【補正対象書類名】図面
【補正対象項目名】図７１
【補正方法】変更
【補正の内容】
【図７１】
2013221403.tif 000053
【手続補正５５】
【補正対象書類名】図面
【補正対象項目名】図７２
【補正方法】変更
【補正の内容】
【図７２】
2013221403.tif 000054
【手続補正５６】
【補正対象書類名】図面
【補正対象項目名】図７３
【補正方法】変更
【補正の内容】
【図７３】
2013221403.tif 000055
【手続補正５７】
【補正対象書類名】図面
【補正対象項目名】図７４
【補正方法】変更
【補正の内容】
【図７４】
2013221403.tif 000056
【手続補正５８】
【補正対象書類名】図面
【補正対象項目名】図７５
【補正方法】変更
【補正の内容】
【図７５】
2013221403.tif 000057
【手続補正５９】
【補正対象書類名】図面
【補正対象項目名】図７６
【補正方法】変更
【補正の内容】
【図７６】
2013221403.tif 000058
【手続補正６０】
【補正対象書類名】図面
【補正対象項目名】図７７
【補正方法】変更
【補正の内容】
【図７７】
2013221403.tif 000059
【手続補正６１】
【補正対象書類名】図面
【補正対象項目名】図７８
【補正方法】変更
【補正の内容】
【図７８】
2013221403.tif 000060
【手続補正６２】
【補正対象書類名】図面
【補正対象項目名】図７９
【補正方法】変更
【補正の内容】
【図７９】
2013221403.tif 000061
【手続補正６３】
【補正対象書類名】図面
【補正対象項目名】図８０
【補正方法】変更
【補正の内容】
【図８０】
2013221403.tif 000062
【手続補正６４】
【補正対象書類名】図面
【補正対象項目名】図８１
【補正方法】変更
【補正の内容】
【図８１】
2013221403.tif 000063
【手続補正６５】
【補正対象書類名】図面
【補正対象項目名】図８２
【補正方法】変更
【補正の内容】
【図８２】
2013221403.tif 000064
【手続補正６６】
【補正対象書類名】図面
【補正対象項目名】図８３
【補正方法】変更
【補正の内容】
【図８３】
2013221403.tif 000065
【手続補正６７】
【補正対象書類名】図面
【補正対象項目名】図８４
【補正方法】変更
【補正の内容】
【図８４】
2013221403.tif 000066
【手続補正６８】
【補正対象書類名】図面
【補正対象項目名】図８５
【補正方法】変更
【補正の内容】
【図８５】
2013221403.tif 000067
【手続補正６９】
【補正対象書類名】図面
【補正対象項目名】図８６
【補正方法】変更
【補正の内容】
【図８６】
2013221403.tif 000068
【手続補正７０】
【補正対象書類名】図面
【補正対象項目名】図８７
【補正方法】変更
【補正の内容】
【図８７】
2013221403.tif 000069
【手続補正７１】
【補正対象書類名】図面
【補正対象項目名】図８８
【補正方法】変更
【補正の内容】
【図８８】
2013221403.tif 000070
【手続補正７２】
【補正対象書類名】図面
【補正対象項目名】図８９
【補正方法】変更
【補正の内容】
【図８９】
2013221403.tif 000071
【手続補正７３】
【補正対象書類名】図面
【補正対象項目名】図９０
【補正方法】変更
【補正の内容】
【図９０】
2013221403.tif 000072
【手続補正７４】
【補正対象書類名】図面
【補正対象項目名】図９１
【補正方法】変更
【補正の内容】
【図９１】
2013221403.tif 000073
【手続補正７５】
【補正対象書類名】図面
【補正対象項目名】図９２
【補正方法】変更
【補正の内容】
【図９２】
2013221403.tif 000074
【手続補正７６】
【補正対象書類名】図面
【補正対象項目名】図９３
【補正方法】変更
【補正の内容】
【図９３】
2013221403.tif 000075
【手続補正７７】
【補正対象書類名】図面
【補正対象項目名】図９４
【補正方法】変更
【補正の内容】
【図９４】
2013221403.tif 000076
【手続補正７８】
【補正対象書類名】図面
【補正対象項目名】図９５
【補正方法】変更
【補正の内容】
【図９５】
2013221403.tif 000077
【手続補正７９】
【補正対象書類名】図面
【補正対象項目名】図９６
【補正方法】変更
【補正の内容】
【図９６】
2013221403.tif 000078
【手続補正８０】
【補正対象書類名】図面
【補正対象項目名】図９７
【補正方法】変更
【補正の内容】
【図９７】
2013221403.tif 000079
【手続補正８１】
【補正対象書類名】図面
【補正対象項目名】図９８
【補正方法】変更
【補正の内容】
【図９８】
2013221403.tif 000080
【手続補正８２】
【補正対象書類名】図面
【補正対象項目名】図９９
【補正方法】変更
【補正の内容】
【図９９】
2013221403.tif 000081
【手続補正８３】
【補正対象書類名】図面
【補正対象項目名】図１００
【補正方法】変更
【補正の内容】
【図１００】
2013221403.tif 000082
【手続補正８４】
【補正対象書類名】図面
【補正対象項目名】図１０１
【補正方法】変更
【補正の内容】
【図１０１】
2013221403.tif 000083
【手続補正８５】
【補正対象書類名】図面
【補正対象項目名】図１０２
【補正方法】変更
【補正の内容】
【図１０２】
2013221403.tif 000084
【手続補正８６】
【補正対象書類名】図面
【補正対象項目名】図１０３
【補正方法】変更
【補正の内容】
【図１０３】
2013221403.tif 000085
【手続補正８７】
【補正対象書類名】図面
【補正対象項目名】図１０４
【補正方法】変更
【補正の内容】
【図１０４】
2013221403.tif 000086
【手続補正８８】
【補正対象書類名】図面
【補正対象項目名】図１０５
【補正方法】変更
【補正の内容】
【図１０５】
2013221403.tif 000087
【手続補正８９】
【補正対象書類名】図面
【補正対象項目名】図１０６
【補正方法】変更
【補正の内容】
【図１０６】
2013221403.tif 000088
【手続補正９０】
【補正対象書類名】図面
【補正対象項目名】図１０７
【補正方法】追加
【補正の内容】
【図１０７】
2013221403.tif 000089
【手続補正９１】
【補正対象書類名】図面
【補正対象項目名】図１０８
【補正方法】追加
【補正の内容】
【図１０８】
2013221403.tif 000090
【手続補正９２】
【補正対象書類名】図面
【補正対象項目名】図１０９
【補正方法】追加
【補正の内容】
【図１０９】
2013221403.tif 000091